(57)【特許請求の範囲】
【請求項１】
制御信号を出力するためのコントローラと、
照明光を出力する照明部、および前記制御信号に基づいて前記照明部の照明状態を制御する制御部を有する照明装置とを備え、
前記コントローラは、
時刻を計測する第１の計時手段と、
設定時間を示す時間情報と、前記設定時間になると前記制御部に前記照明部を所定の照明状態に制御させる第１の制御情報と、を含むタイマ設定信号を送信するとともに、前記照明部を前記所定の照明状態に制御させる第２の制御情報を含むタイムアップ信号を前記第１の計時手段が前記設定時間になった時点で送信する、タイマ制御モードとを有し、
前記制御部は、
時刻を計測する第２の計時手段を有し、
前記第１の制御情報と前記第２の制御情報のうち、一方の制御情報に応じて前記照明部を前記所定の照明状態に制御してから所定時間内は、他方の制御情報に応じて前記照明部を前記所定の照明状態に制御しない、照明システム。
【請求項２】
前記コントローラは、前記照明部の照明状態を制御する信号を送信する指示設定をユーザから受け付けるための入力手段を有し、
前記照明装置は、照度センサを有し、
前記制御部は、前記照度センサで検出した値に基づいて照明状態を制御する照度センサモードを有し、
前記制御部は、前記照度センサモードの動作中において、前記入力手段で受け付けた指示設定により送信された、前記照明光の出力を変更する制御信号を受信したときには前記照度センサモードを終了し、前記タイムアップ信号を受信したときには前記照度センサモードを継続する、請求項１に記載の照明システム。
【請求項３】
前記制御部は、
前記照明部が調光点灯している照明状態において、前記照明部を全灯させる第２の制御情報を含む前記タイムアップ信号を受信したときには、前記照明部の調光点灯を維持する、請求項１または２に記載の照明システム。
【発明の詳細な説明】
【技術分野】
【０００１】
この発明は照明システムおよびコントローラに関し、特に、発光ダイオード（ＬＥＤ（Light Emitting Diode））を光源とする照明装置を含んだ照明システムおよびコントローラに関する。
【背景技術】
【０００２】
従来の照明装置として、たとえば特開２０００−３４８８７５号公報（以下、特許文献１）は、タイマ機能を有するリモコン装置より、セットされた時刻となると照明装置に対してリモコン信号が送信されることで、照明装置で照明プログラムが実行される構成を開示している。
【０００３】
このような構成とすることで、ユーザの生活に応じて快適な照明状態を実現することが可能となる。
【先行技術文献】
【特許文献】
【０００４】
【特許文献１】特開２０００−３４８８７５号公報
【発明の概要】
【発明が解決しようとする課題】
【０００５】
しかしながら、特許文献１に開示された構成では、セットされた時刻にリモコン装置が他の場所にあるなど、照明装置にリモコン信号が達しない状態である場合、セットされた時刻に照明プログラムが開始されないという問題がある。
【０００６】
この問題を解消する１つの方法として、照明装置自体にもタイマ機能を搭載し、予めリモコン装置からリモコン信号を受信しておいて、そのリモコン信号に従って照明装置側でプログラムの開始を判断する方法が挙げられる。
【０００７】
しかしながら、この場合、照明装置とリモコン装置とのタイマがずれてしまうと、タイマにより自動で制御された照明状態を変更したいユーザがリモコンを直接操作して照明状態を変更したにもかかわらず、変更した直後にユーザの意図に反して再び自動で照明状態が変更されるという不都合な現象が起こる、という問題が生じる。
【０００８】
本発明はこのような問題に鑑みてなされたものであって、操作性高く、快適な照明状態を実現できる照明システムおよびコントローラを提供することを目的としている。
【課題を解決するための手段】
【０００９】
上記目的を達成するために、本発明のある局面に従うと、照明システムは、制御信号を出力するためのコントローラと、照明光を出力する照明部、および制御信号に基づいて照明部の照明状態を制御する制御部を有する照明装置とを備える。コントローラは、設定時間を示す時間情報と、設定時間になると制御部に照明部を所定の照明状態に制御させる第１の制御情報と、を含むタイマ設定信号を送信するとともに、照明部を所定の照明状態に制御させる第２の制御情報を含むタイムアップ信号を設定時間になった時点で送信する、タイマ制御モードを有し、制御部は、第１の制御情報と第２の制御情報のうち、一方の制御情報に応じて照明部を所定の照明状態に制御してから所定時間内は、他方の制御情報に応じて照明部を所定の照明状態に制御しない。
【００１０】
好ましくは、コントローラは、照明部の照明状態を制御する信号を送信する指示設定をユーザから受け付けるための入力手段を有し、照明装置は、照度センサを有し、制御部は、照度センサで検出した値に基づいて照明状態を制御する照度センサモードを有し、制御部は、照度センサモードの動作中において、入力手段で受け付けた指示設定により送信された、照明光の出力を変更する制御信号を受信したときには照度センサモードを終了し、タイムアップ信号を受信したときには照度センサモードを継続する。
【００１１】
好ましくは、制御部は、照明部が調光点灯している照明状態において、照明部を全灯させる第２の制御情報を含むタイムアップ信号を受信したときには、照明部の調光点灯を維持する。
【００１２】
本発明の他の局面に従うと、コントローラは照明装置に対して制御信号を出力するコントローラであって、照明装置は照明光を出力する照明部と制御信号に基づいて照明部の照明状態を制御する制御部とを含み、設定時間を示す時間情報と、設定時間になると制御部に照明部を所定の照明状態に制御させる第１の制御情報と、を含むタイマ設定信号を送信するとともに、照明部を所定の照明状態に制御させる第２の制御情報を含むタイムアップ信号を設定時間になった時点で送信する、タイマ制御モードを有する。
【発明の効果】
【００１３】
この発明によると、操作性高く、快適な照明状態を実現できる。
【図面の簡単な説明】
【００１４】
【図１】本発明の実施の形態に従う照明装置の外観構成図である。
【図２】本発明の実施の形態に従う照明装置のハードウェアを説明する概略ブロック図である。
【図３】本発明の実施の形態に従うＬＥＤモジュールの構成を説明する図である。
【図４】ＬＥＤモジュールが照明装置に配置されている場合の一例を説明する図である。
【図５】本発明の実施の形態に従うリモコンの外観構成図である。
【図６】本発明の実施の形態に従うリモコンのハードウェアを説明する概略ブロック図である。
【図７】本発明の実施の形態に従う照明装置のメインフローを説明する図（その１）である。
【図８】本発明の実施の形態に従う照明装置のメインフローを説明する図（その２）である。
【図９】本発明の実施の形態に従う点灯調整モードの処理を説明するフロー図である。
【図１０】本発明の実施の形態に従うエコあかリズム（登録商標）モードの調光率を説明する図である。
【図１１】エコあかリズム（登録商標）モードの各期間における照明部の動作を説明する動作テーブル図である。
【図１２】本発明の実施の形態に従うエコあかリズム（登録商標）モードのフローを説明する図である。
【図１３】本発明の実施の形態に従うエコあかリズム（登録商標）設定における起床時刻、夕食時刻、および就寝時刻の設定時刻、就寝時および深夜の調光率の設定について説明する図である。
【図１４】本発明の実施の形態に従うリモコンの液晶パネルにおけるエコあかリズム（登録商標）設定の画面について説明する図である。
【図１５】本発明の実施の形態に従うリモコンの液晶パネルにおけるエコあかリズム（登録商標）設定の画面について説明する図である。
【図１６】本発明の実施の形態に従うエコあかリズム（登録商標）設定のフローを説明する図である。
【図１７】本発明の実施の形態に従うエコ調光モードにおける調光率のグラフを説明する図である。
【図１８】本発明の実施の形態に従うエコ調光モードの処理を説明するフロー図である。
【図１９】図１８のステップＳ１６８の減光処理のサブルーチンを説明する図である。
【図２０】照度レベルの設定を説明するための図である。
【図２１】明るさレベルと登録された明るさとの対応の一例を示す図である。
【図２２】本発明の実施の形態に従うエコセンサモードのフローを説明する図である。
【図２３】本発明の実施の形態に従うエコセンサモードのスタート時の制御を説明する図である。
【図２４】本発明の実施の形態に従うエコセンサモードの通常制御を説明する図である。
【図２５】エコあかリズム（登録商標）モードにエコセンサモードを適用した場合の、時間帯ごとの明るさの範囲を説明する図である。
【図２６】本発明の実施の形態に従うタイマモードのフローを説明する図である。
【図２７】本発明の実施の形態に従う入タイマ設定画面および切タイマ設定画面を説明する図である。
【図２８】本発明の実施の形態に従う留守タイマモードのフローを説明する図である。
【図２９】本発明の実施の形態に従う留守タイマターブルについて説明する図である。
【図３０】「桃橙色」の効果を実証するための第１の実験での結果を表わした図である。
【図３１】「桃橙色」の効果を実証するための第１の実験での結果を表わした図である。
【図３２】「桃橙色」の効果を実証するための第１の実験での結果を表わした図である。
【図３３】「桃橙色」の効果を実証するための第２の実験での結果を表わした図である。
【図３４】「桃橙色」の効果を実証するための第２の実験での結果を表わした図である。
【図３５】「桃橙色」の効果を実証するための第２の実験での結果を表わした図である。
【図３６】実施の形態にかかる照明装置での照射光の色の範囲を表わした図である。
【図３７】電球色ＬＥＤと赤色ＬＥＤとの色のばらつきを、実施の形態にかかる照明装置での照射光の色の範囲に重ねて表わした図である。
【図３８】本発明の実施の形態に従うエコあかリズム（登録商標）設定の、リモコン側でのフローを説明する図である。
【図３９】本発明の実施の形態に従うリモコンでのコマンド送信処理を説明するフロー図である。
【図４０】本発明の実施の形態に従う照明装置でのコマンド受信処理を説明するフロー図である。
【図４１】本発明の実施の形態に従う照明装置でのコマンド受信処理の他の例を説明するフロー図である。
【図４２】照明装置に対して送信される制御信号の順の例を表わした図である。
【発明を実施するための形態】
【００１５】
以下に、図面を参照しつつ、本発明の実施の形態について説明する。以下の説明では、同一の部品および構成要素には同一の符号を付してある。それらの名称および機能も同じである。
【００１６】
図１は、本発明の実施の形態に従う照明装置１の外観構成図である。
図１を参照して、本発明の実施の形態に従う照明装置１には、本体部を取り付けるためのシャーシ２と、シャーシ２とともに本体部全面を覆うカバー８，９とが設けられている場合が示されている。本例においては、一例として、照明装置１のシャーシ２が天井に取り付けられているものとする。
【００１７】
カバー８は、光源としての照明用のＬＥＤモジュールが配置される領域に対応して設けられる。当該カバー８の領域から光が照射される。
【００１８】
カバー８の中央付近に設けられている別のカバー９は、ＬＥＤモジュールを制御する基板等の制御装置が配置される領域に対応して設けられる。当該カバー９に対応する領域には常夜灯が配置されてもよい。もちろん、常夜灯光源は照明部の光源の一部を利用してもよいし、別光源でもよい。また、もちろん、常夜灯が配置される位置も限定されない。
【００１９】
また、当該照明装置１を操作するための携帯型のリモコン５０が設けられている。リモコン５０を操作することにより照明装置１に対して各種動作指示を与えることが可能となる。リモコン５０の詳細については後述する。
【００２０】
図２は、本発明の実施の形態に従う照明装置１のハードウェアを説明する概略ブロック図である。
【００２１】
図２を参照して、本発明の実施の形態に従う照明装置１は、電源回路１０と、照明制御部２０と、照明部３０と、インタフェース部４０とを含む。
【００２２】
電源回路１０は、交流電源入力（ＡＣ入力）（１００Ｖ）を受けて直流電圧に変換して装置の各部に電圧を供給する。なお、本例においては、一例として制御電源供給回路２１および照明部３０のみに電圧が供給されているように示されているが、特にこれに限られず、他の部位に対しても必要な電圧が供給されるものとする。
【００２３】
照明制御部２０は、電源回路１０から供給される電圧をＣＰＵ２２に供給するために調整する制御電源供給回路２１と、照明装置１全体を制御するためのＣＰＵ（Central Processing Unit）２２と、ＰＷＭ（Pulse Width Modulation）制御回路２３と、信号受信部２５と、ＳＷ入力部２６と、水晶発振子２７と、照度センサ２８と、メモリ２９と、後述する表示用ＬＥＤ４３の点灯／消灯を制御するための表示用ＬＥＤ出力部２０１とを含む。一例としてＣＰＵ２２とメモリ２９とＰＷＭ制御回路２３とはマイコン（マイクロコンピュータ）によって構成される。
【００２４】
ＣＰＵ２２は、各部と接続されるとともに、照明装置１全体を制御するために必要な動作を指示する。
【００２５】
ＰＷＭ制御回路２３は、ＣＰＵ２２からの指示に従ってＬＥＤモジュール３１，３２，３５を駆動するために必要なＰＷＭパルスを生成する。
【００２６】
信号受信部２５は、インタフェース部４０に含まれる赤外線受光部４１と接続されて、赤外線受光部４１で受光された赤外線信号に応答した指示をＣＰＵ２２に出力する。
【００２７】
ＳＷ入力部２６は、操作ＳＷ（スイッチ）４２と接続されて、操作ＳＷの操作に応答した指示をＣＰＵ２２に出力する。
【００２８】
水晶発振子２７は、所定の周期で発振信号を生成してＣＰＵ２２に出力する。ＣＰＵ２２は、水晶発振子２７から発振される発振信号（クロック信号）の入力を受けて、当該クロック信号に同期した各種動作を実行する。なお、ＣＰＵ２２は、水晶発振子２７から出力される発振信号に従って時刻を正確に計測することが可能であるものとする。
【００２９】
照度センサ２８は、照明装置１周辺の被照射面の単位面積当たりの明るさである照度を計測してＣＰＵ２２に出力する。ＣＰＵ２２は、照度センサ２８からの測定結果に基づいて調光率を制御することが可能である。
【００３０】
メモリ２９は、照明装置１を制御するための各種プログラムおよび初期値等が格納されるとともに、ＣＰＵ２２のワーキングメモリとしても用いられる。
【００３１】
照明部３０は、互いに光色（色温度）の異なるＬＥＤモジュール３１，３２，３５，３７と、ＬＥＤモジュール３１，３２，３５，３７を駆動するために用いられるＦＥＴ（Field Effect Transistor）スイッチ３３，３４，３６，３８とを含む。本例において、ＬＥＤモジュール３１の色温度は５６００Ｋ程度、ＬＥＤモジュール３２の色温度は２８００Ｋ程度とする。以下、ＬＥＤモジュール３１を昼光色ＬＥＤ（単に昼光色）とも称する。また、ＬＥＤモジュール３２を電球色ＬＥＤ（単に電球色）とも称する。また、ＬＥＤモジュール３５を赤色ＬＥＤ（単に赤色）とも称する。また、ＬＥＤモジュール３７を常夜灯ＬＥＤ（単に常夜灯）とも称する。なお、ここでは、ＬＥＤモジュール３１，３２，３５は、それぞれ１つずつ１組として設けられている場合が示されているが、複数組が設けられる構成とすることも可能である。また、ＦＥＴスイッチ３３，３４，３６はＰＷＭ制御回路２３にあってもよい。
【００３２】
なお、ＬＥＤ３７およびＦＥＴ３８は常夜灯として用いられるものであってよい。常夜灯としては、たとえば電球色ＬＥＤが使用され得る。しかしながら、光色は電球色に限定されず、青色や白色等であってもよい。
【００３３】
インタフェース部４０は、赤外線受光部４１と、操作ＳＷ４２と、後述するエコセンサモードで消灯した際に点灯する、表示用ＬＥＤ４３とを含む。
【００３４】
赤外線受光部４１は、上述したリモコン５０からの赤外線信号を受光する。そして、赤外線信号を光電変換して信号受信部２５に出力する。
【００３５】
操作ＳＷ４２は、電源スイッチ等を含み、ユーザの電源スイッチ等のスイッチ操作に応答した指示がＳＷ入力部２６を介してＣＰＵ２２に出力される。なお、電源スイッチがオンの場合には、照明装置１には必要な電源が供給され、電源スイッチがオフの場合には、照明装置１には電源が供給されないものとする。本例における各種動作については、電源スイッチがオンの場合とする。また、操作ＳＷ４２には、後述するリモコン５０の各種ボタンに対応するスイッチをそれぞれ設けるようにすることも可能である。
【００３６】
表示用ＬＥＤ４３は、表示用ＬＥＤ出力部２０１での制御に従って、後述するエコセンサモードにおいて消灯状態となった場合に点灯する。
【００３７】
図３は、本発明の実施の形態に従うＬＥＤモジュール３１，３２，３５の構成を説明する図である。
【００３８】
図３を参照して、ＣＰＵ２２は、ＰＷＭ制御回路２３に指示してＬＥＤモジュール３１，３２，３５のうちの少なくとも１つを駆動するためのＰＷＭパルスＳ１，Ｓ２，Ｓ３を生成して出力する。
【００３９】
ＬＥＤモジュール３１，３２，３５は、電源回路１０から必要な電圧の供給を受ける。ＬＥＤモジュール３１，３２，３５と接地電圧ＧＮＤとの間には、ＦＥＴスイッチ３３，３４，３６とがそれぞれ設けられている。
【００４０】
そして、ＰＷＭパルスＳ１，Ｓ２，Ｓ３に応答してＦＥＴスイッチ３３，３４，３６が導通／非導通となることによりＬＥＤモジュール３１，３２，３５に電流が供給／遮断される。ＬＥＤモジュール３１，３２，３５に電流が供給されることによりＬＥＤモジュール３１，３２，３５はそれぞれ発光する。なお、ここでは、ＬＥＤモジュール３１，３２，３５を駆動する構成について説明したが、常夜灯ＬＥＤ３７等の他のＬＥＤモジュールがさらに複数個設けられている場合についても同様である。
【００４１】
図４は、ＬＥＤモジュール３１，３２，３５が照明装置１に配置されている場合の一例を説明する図である。
【００４２】
図４を参照して、ＬＥＤモジュール３１，３２，３５を互いに隣接して配置し、かつ、複数組円形状に配列して実装した場合が示されている。色温度の異なるＬＥＤモジュール３１，３２，３５を互いに隣接して実装することにより、それぞれのＬＥＤモジュールから発光される光を混ざりやすくし、照射面での色のバラツキ、ムラを無くすことが可能となる。
【００４３】
なお、本発明にかかる光源はＬＥＤに限定されず、蛍光灯、ＥＬ（Electro-Luminescence）等の光源であってもよい。
【００４４】
図５は、本発明の実施の形態に従うリモコン５０の外観構成図である。
図５を参照して、リモコン５０は、液晶パネル５２と、各種ボタンが設けられている。液晶パネル５２は、液晶以外の他の表示装置を用いることも可能である。
【００４５】
また、ここでは、複数のボタンが設けられている。具体的には、「全灯」ボタン５４と、「エコあかリズム（登録商標）」ボタン５８と、「消灯」ボタン５３と、「常夜灯」ボタン５１と、「エコ調光」ボタン６０と、「エコセンサ」ボタン７０と、調光率の上げ下げを指示するための「明」ボタン５５および「暗」ボタン５６と、「電球色」から「昼光色」への調色を指示するための「寒色」ボタン６１と、「昼光色」から「電球色」への調色を指示するための「暖色」ボタン６３と、「電球色」または「昼光色」から後述する「桃橙色」への調色を指示するための「桃橙色」ボタン５９と、「おやすみリズム」ボタン６６と、「留守タイマ」ボタン６７と、「切タイマ」ボタン７４と、「入タイマ」ボタン７５と、「エコあかリズム（登録商標）設定」ボタン６２と、数値等の上げ下げを指示するための「ＵＰ」ボタン５７Ａおよび「ＤＯＷＮ」ボタン５７Ｂと、「環境登録」ボタン６９と、「チャンネル切替」ボタン７７と、「時計設定」ボタン６８と、「リセット」ボタン７８と、「お気に入り」ボタン７９と、「お気に入り登録」ボタン８０と、「点灯」ボタン８１とが設けられる。なお、図５では、「桃橙色」の一例として「さくら色」と表現されている。
【００４６】
ユーザが「全灯」ボタン５４を押下することにより全点灯制御指示がリモコン５０から出力される。照明装置１のＣＰＵ２２は、リモコン５０からの全点灯制御指示の入力を受けて、ＰＷＭ制御回路２３に対して照明部３０への全点灯制御を開始するように指示する。これにより、「全灯」ボタン５４の押下すなわち、リモコン５０からの全点灯制御指示の入力に従って、照明部３０から調光率１００％の光が照射される。
【００４７】
ユーザが「エコあかリズム（登録商標）」ボタン５８を押下することにより、光環境制御（以下、エコあかリズム（登録商標）と称する）モード指示がリモコン５０から出力される。照明装置１のＣＰＵ２２は、リモコン５０からのエコあかリズム（登録商標）指示の入力を受けてＰＷＭ制御回路２３に対して照明部３０へのエコあかリズム（登録商標）モードにおける点灯制御を開始するように指示する。エコあかリズム（登録商標）モードについては後述する。
【００４８】
ユーザが「光環境制御」ボタン５８を押下することにより、光環境制御モード指示がリモコン５０から出力される。照明装置１のＣＰＵ２２は、リモコン５０からの光環境制御指示の入力を受けてＰＷＭ制御回路２３に対して照明部３０への光環境制御モードにおける点灯制御を開始するように指示する。光環境制御モードについては後述する。
【００４９】
点灯中にユーザが「消灯」ボタン５３を押下することにより消灯制御指示がリモコン５０から出力される。照明装置１のＣＰＵ２２は、リモコン５０からの消灯制御指示の入力を受けて、ＰＷＭ制御回路２３に対して照明部３０を消灯するように指示する。これにより、「消灯」ボタン５３の押下すなわち、リモコン５０からの消灯制御指示の入力に従って、照明部３０からの光の照射が終了する。
【００５０】
ユーザが「常夜灯」ボタン５１を押下することにより常夜灯制御指示がリモコン５０から出力される。照明装置１のＣＰＵ２２は、リモコン５０からの常夜灯制御指示の入力を受けて、ＰＷＭ制御回路２３に対して照明部３０への常夜灯制御を開始するように指示する。これにより、「常夜灯」ボタン５４の押下すなわち、リモコン５０からの常夜灯点灯制御指示の入力に従って、常夜灯ＬＥＤを点灯させる。なお、常夜灯としてのＬＥＤの点灯時に当該ＬＥＤの調光率を約１０％から１００％の間の１０段階で調光することが可能である。
【００５１】
また、ユーザが「エコ調光」ボタン６０を押下することにより、エコ調光モード指示がリモコン５０から出力される。照明装置１のＣＰＵ２２は、リモコン５０からのエコ調光指示の入力を受けてＰＷＭ制御回路２３に対して照明部３０へのエコ調光モードにおける点灯制御を開始するように指示する。エコ調光モードについては後述する。
【００５２】
また、ユーザが「エコセンサ」ボタン７０を押下することにより、照度センサ２８で検出した照度に基づいて照度が一定となるよう照明部３０からの光の強度（光出力とも称する）を制御する自動出力制御モードである照度センサモード（以下、エコセンサモードと称する）指示がリモコン５０から出力される。照明装置１のＣＰＵ２２は、リモコン５０からのエコセンサモード指示の入力を受けて、照明部３０へのエコセンサモードにおける点灯制御を開始する。エコセンサモードについては後述する。
【００５３】
照明部３０から照射される光の調光率は、「明」ボタン５５および「暗」ボタン５６の操作によって段階的に全灯（調光率１００％）から微灯（調光率３０％）まで調整される。具体的には、例えば、「全灯」ボタン５４が押下されて全灯（調光率１００％）である状態で「暗」ボタン５６が押下されたときには半灯（調光率５０％）となり、その状態で「暗」ボタン５６が押下されたときには微灯（調光率３０％）となる。また、その状態で「明」ボタン５５が押下されたときには半灯（調光率５０％）となり、その状態で「明」ボタン５５が押下されたときには全灯（調光率１００％）となる。なお、現在の調光率はメモリ２９に記憶されているものとする。なお、ここでは、３段階の調光率で変化する場合について一例として説明したが、特にこれに限られずさらに複数段階を設けて調光するようにすることも当然に可能である。また、ここでは、微灯（調光率３０％）まで調整可能な場合について説明しているが、消灯状態となるまで、さらに、段階的に調光率を調整可能なようにすることも当然に可能である。
【００５４】
また、ユーザが「寒色」ボタン６１、「暖色」ボタン６３、および「桃橙色」ボタン５９を押下することにより色調の切り替え指示がリモコン５０から出力される。照明装置１のＣＰＵ２２は、リモコン５０からの色調の切り替え指示の入力を受けてＰＷＭ制御回路２３に対して照明部３０への点灯切り替えを指示する。ここで、「寒色」ボタン６１、「暖色」ボタン６３、および「桃橙色」ボタン５９の押下すなわち、リモコン５０からの色調の切り替え指示の入力に従って、照明部３０から照射する光の色調（光色とも称する）を調整可能であるものとする。具体的には、「暖色」ボタン６３が押下された場合には、調光率は維持しつつ昼光色から電球色に段階的に切り替わるように設定されるものとする。例えば、「昼光色」の全灯状態（調光率１００％）で「暖色」ボタン６３が押下されたときには、昼光色を調光率７０％、電球色を調光率３０％の「昼白色」に設定して、調光率は維持しつつ色味を昼光色から電球色側に変化させる。その状態でさらに「暖色」ボタン６３が押下されたときには、昼光色を調光率３０％、電球色を調光率７０％の「温白色」に設定して、調光率は維持しつつ色味をさらに昼光色から電球色側に変化させる。その状態でさらに「暖色」ボタン６３が押下されたときには、調光率１００％の「電球色」に設定して、調光率は維持しつつ色味をさらに電球色側に変化させる。
【００５５】
また、「寒色」ボタン６１が押下された場合には、調光率は維持しつつ電球色から昼光色に段階的に切り替わるように設定されるものとする。例えば、「電球色」の全灯状態（調光率１００％）で「寒色」ボタン６１が押下されたときには、電球色を調光率７０％、昼光色を調光率３０％の「温白色」に設定して、調光率は維持しつつ色味を電球色から昼光色側に変化させる。その状態でさらに「寒色」ボタン６１が押下されたときには、電球色を調光率３０％、昼光色を調光率７０％の「昼白色」に設定して、調光率は維持しつつ色味をさらに電球色から昼光色側に変化させる。その状態でさらに「寒色」ボタン６１が押下されたときには、調光率１００％の「昼光色」に設定して、調光率は維持しつつ色味をさらに昼光色側に変化させる。なお、現在の色調はメモリ２９に記憶されているものとする。なお、ここでは、４段階で色調が変化する場合について一例として説明したが、特にこれに限られずさらに複数段階を設けて調光するようにすることも当然に可能である。また、赤色ＬＥＤ、電球色ＬＥＤ、昼光色ＬＥＤのうち２色または３色の光出力（調光率）の比率を変化させることで色調を変化させてもよい。
【００５６】
当該操作に従って、ユーザが「明」ボタン５５および「暗」ボタン５６あるいは「寒色」ボタン６１および「暖色」ボタン６３を操作することによりユーザの好みの調光率および色調に変化させて快適な光環境を実現することが可能である。
【００５７】
また、ユーザが「おやすみリズム」ボタン６６を押下することにより、おやすみリズムモード指示がリモコン５０から出力される。照明装置１のＣＰＵ２２は、リモコン５０からのおやすみリズムモード指示の入力を受けてＰＷＭ制御回路２３に対して照明部３０へのおやすみリズムモードにおける点灯制御を開始するように指示する。おやすみリズムモードについては後述する。
【００５８】
また、ユーザが「留守タイマ」ボタン６７を押下することにより、留守タイマの留守タイマ制御指示がリモコン５０から出力される。照明装置１のＣＰＵ２２は、リモコン５０からの留守タイマ制御指示の入力を受けて照明部３０への留守タイマモードにおける点灯制御を開始するように指示する。一方、照明装置１のＣＰＵ２２は、リモコン５０からの再度の留守タイマ制御指示の入力を受けて、留守タイマモードが設定されているならば当該留守タイマモードにおける点灯制御を停止する。留守タイマモードについては後述する。
【００５９】
また、ユーザが「切タイマ」ボタン７４を押下することにより、後述するが切タイマモードにおける切タイマ設定における動作を開始することが可能となる。そして、消灯時刻が設定された場合には、当該時刻となった場合に消灯制御を実行する。当該切タイマモードについては後述する。
【００６０】
また、ユーザが「入タイマ」ボタン７５を押下することにより、後述するが入タイマモードにおける入タイマ設定における動作を開始することが可能となる。そして、点灯時刻が設定された場合には、当該時刻となった場合に点灯制御を実行する。当該入タイマモードについては後述する。
【００６１】
また、ユーザが「エコあかリズム（登録商標）設定」ボタン６２を押下することによりエコあかリズム（登録商標）設定における動作を開始することが可能となる。エコあかリズム（登録商標）設定については後述する。
【００６２】
また、ユーザが「環境登録」ボタン６９を押下することにより後述するエコセンサモードで用いられる目標照度の設定が行われる。この点については後述する。
【００６３】
また、ユーザが「チャンネル切替」ボタン７７を押下することにより赤外線を投光する場合のコマンドの種類を変更することが可能となる。例えば、互いに異なるチャンネルに設定された複数台の照明装置１が設けられている場合に、それぞれの照明装置を個別に制御したい場合には、リモコン５０の「チャンネル切替」ボタン７７を押下して照明装置に対応するチャンネルに合わせることにより各照明装置の設定指示が可能となる。なお、本例においては、照明装置１のチャンネルとリモコン５０のチャンネルとは同じに設定されているものとする。
【００６４】
また、ユーザが「時計設定」ボタン６８を押下することにより時計設定における動作を開始することが可能となる。具体的には、当該「時計設定」ボタン６８を押下することにより時計設定画面（図示せず）が液晶パネル５２に表示される。そして、時計設定画面において、ユーザは、「ＵＰ」ボタン５７Ａおよび「ＤＯＷＮ」ボタン５７Ｂを用いて現在の時刻を設定することが可能である。そして、再度、「時計設定」ボタン６８を押下することにより現在の時刻情報がリモコン５０から出力される。照明装置１のＣＰＵ２２は、リモコン５０からの時刻情報の入力を受けて、当該入力された時刻情報を基準に以降、水晶発振子２７から発振される発振信号（クロック信号）に従って正確な時刻を計測することが可能であるものとする。なお、本例におけるエコあかリズム（登録商標）モード、タイマモード等は、時刻に応じた点灯制御が実行されるため照明装置１において時刻が設定されていない場合には、当該モードは実行されないものとする。
【００６５】
また、ユーザが「リセット」ボタン７８を押下することによりリモコン５０はマイコンリセットを行なう。
【００６６】
また、「点灯」ボタン８１を押下することにより、「全灯」ボタンまたは「明」「暗」「暖色」「寒色」ボタンにより決定した前回の点灯状態の明るさと色で点灯する。
【００６７】
また、「お気に入り登録」ボタン８０を押下することにより、明るさや色やエコ調光、エコセンサの状態を記憶し、「お気に入り」ボタン７９を押下することにより記憶した点灯状態を呼び出して点灯する。
【００６８】
図６は、本発明の実施の形態に従うリモコン５０のハードウェアを説明する概略ブロック図である。
【００６９】
図６を参照して、本発明の実施の形態に従うリモコン５０は、電源回路９１と、リモコン制御部９５と、インタフェース部９７とを含む。
【００７０】
電源回路９１は、２次電池等のバッテリからの電力の供給を受けて装置の各部に電圧を供給する。なお、本例においては、一例として制御電源供給回路８１にのみ電圧が供給されているように示されているが、特にこれに限られず、他の部位に対しても必要な電圧が供給されるものとする。
【００７１】
リモコン制御部９５は、電源回路９１から供給される電圧をＣＰＵ８６に供給するために調整する制御電源供給回路８１と、リモコン５０全体を制御するためのＣＰＵ（Central Processing Unit）８６と、液晶パネル５２を駆動する液晶駆動回路８２と、信号送信部８４と、ＳＷ入力部８３と、水晶発振子８５と、メモリ８０とを含む。
【００７２】
ＣＰＵ８６は、各部と接続されるとともに、リモコン５０全体を制御するために必要な動作を指示する。
【００７３】
液晶駆動回路８２は、ＣＰＵ８６からの指示に従って所望の画面を表示する液晶パネル５２を駆動する。
【００７４】
信号送信部８４は、ＣＰＵ８６からの指示をインタフェース部９７に含まれる赤外線投光部８７に出力する。
【００７５】
ＳＷ入力部８３は、操作ＳＷ（スイッチ）８８と接続されて、操作ＳＷの操作に応答した指示をＣＰＵ８６に出力する。
【００７６】
水晶発振子８５は、所定の周期で発振信号を生成してＣＰＵ８６に出力する。ＣＰＵ８６は、水晶発振子８５から発振される発振信号（クロック信号）の入力を受けて、当該クロック信号に同期した各種動作を実行する。なお、ＣＰＵ８６は、水晶発振子８５から出力される発振信号に従って時刻を正確に計測することが可能であるものとする。
【００７７】
なお、リモコン５０には必ずしも水晶発振子８５が含まれなくてもよい。この場合、ＣＰＵ８６は、「時計設定」ボタン６８や「ＵＰ」ボタン５７Ａおよび「ＤＯＷＮ」ボタン５７Ｂなどが押下されることによって時刻の入力を受け付けて、入力された時刻に基づいて以降の現在時刻を計測するようにしてもよい。
【００７８】
メモリ８０は、リモコン５０を制御するためのプログラムおよび初期値等が格納されるとともに、ＣＰＵ８６のワーキングメモリとしても用いられる。
【００７９】
インタフェース部９７は、赤外線投光部８７と、操作ＳＷ８８と、液晶パネル５２とを含む。
【００８０】
赤外線投光部８７は、信号送信部８４から出力された信号を赤外線信号に変換して照明装置１に投光する。
【００８１】
操作ＳＷ８８は、上述したリモコン５０に設けられた各種のボタンで構成されている。具体的には、「全灯」ボタン５４と、「エコあかリズム（登録商標）」ボタン５８と、「消灯」ボタン５３と、「常夜灯」ボタン５１と、「エコ調光」ボタン６０と、「エコセンサ」ボタン７０と、調光率の上げ下げを指示するための「明」ボタン５５および「暗」ボタン５６と、「電球色」または後述する「桃橙色」から「昼光色」への調色を指示するための「寒色」ボタン６１と、「昼光色」または後述する「桃橙色」から「電球色」への調色を指示するための「暖色」ボタン６３と、「電球色」または「昼光色」から後述する「桃橙色」への調色を指示するための「桃橙色」ボタン５９と、「おやすみリズム」ボタン６６と、「留守タイマ」ボタン６７と、「切タイマ」ボタン７４と、「入タイマ」ボタン７５と、「エコあかリズム（登録商標）設定」ボタン６２と、数値等の上げ下げを指示するための「ＵＰ」ボタン５７Ａおよび「ＤＯＷＮ」ボタン５７Ｂと、「環境登録」ボタン６９と、「チャンネル切替」ボタン７７と、「時計設定」ボタン６８と、「リセット」ボタン７８と、「お気に入り」ボタン７９と、「お気に入り登録」ボタン８０と、「点灯」ボタン８１とが設けられる。
【００８２】
リモコン５０のＣＰＵ８６は、ＳＷ入力部８３を介して操作ＳＷ８８における各ボタンの入力指示を受けて、信号送信部８４に各ボタンに応じた送信信号の出力を指示する。信号送信部８４は、ＣＰＵ８６からの指示に応答して、赤外線投光部８７を介して各ボタンに応じた送信信号を赤外線信号として照明装置１に出力する。照明装置１の赤外線受光部４１は、リモコン５０の赤外線投光部８７から投光された赤外線信号を受信する。そして、赤外線受光部４１は、受光された赤外線信号を光電変換する。そして、信号受信部２５は、光電変換により得られたリモコン５０から指示された送信信号をＣＰＵ２２に出力する。当該動作により、ＣＰＵ２２は、リモコン５０からの入力指示に応じた動作を実行する。
【００８３】
具体的には、上述したようにユーザが「明」ボタン５５または「暗」ボタン５６を押下することによりＣＰＵ２２は、照明部３０におけるＬＥＤモジュール３１，３２，３５の発光に従う調光率を調整する。
【００８４】
例えば、全灯（調光率１００％）である状態で「暗」ボタン５６が押下されるに従って「全灯」→「半灯」→「微灯」と変化し、その状態（調光率３０％）から「明」ボタン５５が押下されるに従って「微灯」→「半灯」→「全灯」と変化する。
【００８５】
また、上述したようにユーザが「寒色」ボタン６１または「暖色」ボタン６３を押下することによりＣＰＵ２２は、照明部３０におけるＬＥＤモジュール３１，３２，３５の発光に従う色調を調整する。例えば、昼光色の全灯（調光率１００％）である「昼光色」の状態で「暖色」ボタン６３が押下されるに従って「昼光色」→「昼白色」→「温白色」→「電球色」と変化し、その状態（電球色）で「寒色」ボタン６１が押下されるに従って「電球色」→「温白色」→「昼白色」→「昼光色」と変化する。
【００８６】
なお、本例においては、携帯型のリモコン５０について説明したが、特にこれに限られず、壁面に設けられた固定式のリモコンとすることも可能である。また、当該リモコンを照明装置１のインタフェース部４０の一部として設けるようにしても良い。その場合、赤外線信号により操作ＳＷの信号を送信するのではなく、直接、信号線を用いて操作ＳＷからの指示信号を送信する構成とすることも可能である。また、信号の送受信は、赤外線に限られず、無線等を用いるようにしても良い。
【００８７】
なお、本例においては、リモコン５０を介したボタン操作による入力指示に従って照明装置１の各種モードを実行する方式について説明するが、入力方式はこれに限られず他の方式、例えば、音声入力により照明装置１に入力指示するようにしても良い。
【００８８】
図７は、本発明の実施の形態に従う照明装置１のメインフローを説明する図（その１）である。
【００８９】
当該メインフローは電源スイッチがオンされることで開始され、ＣＰＵ２２がメモリ２９に格納されたプログラムを読み込むことにより実行されるものとする。
【００９０】
電源スイッチがオンされてフローが開始されると、図７を参照して、まず、ＣＰＵ２２は、ＰＷＭ制御回路２３に対して照明部３０における点灯制御を指示する（ステップＳ１）。これにより部屋内に照明部３０からの光が照射される。なお、ステップＳ１でＣＰＵ２２は、後述する各モードの処理が行なわれた後の場合にはそのモードで設定された調光率、色調での点灯制御を指示する。そうでない場合、つまり、後述する各モードの処理が行なわれておらず、電源スイッチがオンされた直後や後述するエコあかリズム（登録商標）モードが終了した場合には通常の点灯制御として、予め設定されている、ＬＥＤモジュール３１を用いた昼光色の光を１００％の調光率で照射する点灯制御を指示するものとする。
【００９１】
次に、ＣＰＵ２２は、入力指示があったかどうかを判断する（ステップＳ２）。ＣＰＵ２２は、ステップＳ２において、入力指示があったと判断した場合（ステップＳ２においてＹＥＳ）には、次に、点灯調整指示の入力があったかどうかを判断する（ステップＳ３）。具体的には、リモコン５０に設けられた調光率を調整するための「明」ボタン５５または「暗」ボタン５６の入力指示あるいは、色調を調整するための「寒色」ボタン６１、「暖色」ボタン６３、または「桃橙色」ボタン５９の入力指示があったかどうかを判断する。
【００９２】
ＣＰＵ２２は、点灯調整指示の入力があったと判断した場合（ステップＳ３においてＹＥＳ）には、点灯調整モードに移行する（ステップＳ４）。点灯調整モードの処理については後述する。
【００９３】
一方、ＣＰＵ２２は、点灯調整指示の入力がなかったと判断した場合（ステップＳ３においてＮＯ）には、次にエコあかリズム（登録商標）の指示入力があったかどうかを判断する（ステップＳ５）。具体的には、ＣＰＵ２２は、リモコン５０に設けられた「エコあかリズム（登録商標）」ボタン５８の入力指示があったかどうかを判断する。
【００９４】
ＣＰＵ２２は、エコあかリズム（登録商標）の指示入力があったと判断した場合（ステップＳ５においてＹＥＳ）には、エコあかリズム（登録商標）モードに移行する（ステップＳ６）。エコあかリズム（登録商標）モードの処理については後述する。
【００９５】
一方、ＣＰＵ２２は、エコあかリズム（登録商標）の指示入力が無かったと判断した場合（ステップＳ５においてＮＯ）には、次に、エコあかリズム（登録商標）設定の指示入力があったかどうかを判断する（ステップＳ７）。
【００９６】
具体的には、ＣＰＵ２２は、リモコン５０に設けられた「エコあかリズム（登録商標）設定」ボタン６２の入力指示があったかどうかを判断する。
【００９７】
ＣＰＵ２２は、エコあかリズム（登録商標）設定の指示入力があったと判断した場合（ステップＳ７においてＹＥＳ）には、エコあかリズム（登録商標）設定モードに移行する（ステップＳ８）。エコあかリズム（登録商標）設定モードの処理については後述する。
【００９８】
一方、ＣＰＵ２２は、エコあかリズム（登録商標）設定の指示入力が無かったと判断した場合（ステップＳ７においてＮＯ）には、次に、エコセンサモードの指示入力があったかどうかを判断する（ステップＳ９）。具体的には、ＣＰＵ２２は、リモコン５０に設けられた「エコセンサ」ボタン７０の入力指示があったかどうかを判断する。
【００９９】
ＣＰＵ２２は、エコセンサモードの指示入力があったと判断した場合（ステップＳ９においてＹＥＳ）には、エコセンサモードに移行する（ステップＳ１０）。エコセンサモードの処理については後述する。
【０１００】
一方、ＣＰＵ２２は、エコセンサの指示入力が無かったと判断した場合（ステップＳ９においてＮＯ）には、「Ａ」に進む。
【０１０１】
図８は、本発明の実施の形態に従う照明装置１のメインフローを説明する図（その２）である。
【０１０２】
図８を参照して、ステップＳ９においてエコセンサの指示入力が無かったと判断した場合（ステップＳ９においてＮＯ）には、次に、エコ調光の指示入力があったかどうかを判断する（ステップＳ１１）。具体的には、ＣＰＵ２２は、リモコン５０に設けられた「エコ調光」ボタン６０の入力指示があったかどうかを判断する。
【０１０３】
ＣＰＵ２２は、エコ調光の指示入力があったと判断した場合（ステップＳ１１においてＹＥＳ）には、エコ調光モードに移行する（ステップＳ１２）。エコ調光モードの処理については後述する。
【０１０４】
ステップＳ１１において、エコ調光の指示入力が無かったと判断した場合（ステップＳ１１においてＮＯ）には、次に、タイマの指示入力があったかどうかを判断する（ステップＳ１３）。
【０１０５】
具体的には、ＣＰＵ２２は、リモコン５０に設けられたタイマに関する留守タイマ６７、切タイマ７４、入タイマ７５の操作に従う情報の入力があったかどうかを判断する。
【０１０６】
ＣＰＵ２２は、タイマの指示入力があったと判断した場合（ステップＳ１３においてＹＥＳ）には、タイマモードに移行する（ステップＳ１４）。タイマモードの処理については後述する。
【０１０７】
一方、ＣＰＵ２２は、タイマの指示入力が無かったと判断した場合（ステップＳ１３においてＮＯ）には、おやすみリズムモードの指示入力があったかどうかを判断する（ステップＳ１５）。具体的には、ＣＰＵ２２は、リモコン５０に設けられた「おやすみリズム」ボタン６６の入力指示があったかどうかを判断する。
【０１０８】
ＣＰＵ２２は、おやすみリズムモードの指示入力があったと判断した場合（ステップＳ１５においてＹＥＳ）には、おやすみリズムモードに移行する（ステップＳ１６）。おやすみリズムモードの処理については後述する。
【０１０９】
一方、ＣＰＵ２２は、おやすみリズムモードの指示入力が無かったと判断した場合（ステップＳ１５においてＮＯ）には、その他の処理を実行する（ステップＳ１９）。そして、「Ｂ」に進む。すなわち、図７のステップＳ１に戻る。
【０１１０】
＜点灯調整モード＞
点灯調整モードは、ユーザからのリモコン５０の調光および／または調色の操作指示に対して、照明部３０におけるＬＥＤモジュール３１，３２，３５の発光状態を制御して好みの調光および調色に調整するモードである。
【０１１１】
図９は、本発明の実施の形態に従う点灯調整モードの処理を説明するフロー図である。
当該フローは、ＣＰＵ２２がメモリ２９に格納されたプログラムを読み込むことにより実行されるものとする。
【０１１２】
図９を参照して、まず、ＣＰＵ２２は、調光ボタンの入力指示であったかどうかを判断する（ステップＳ１００）。調光ボタンとは、本例においては、一例として、「明」ボタン５５および「暗」ボタン５６とする。「明」ボタン５５または「暗」ボタン５６の調光ボタンの入力指示でなかったと判断した場合（ステップＳ１００においてＮＯ）には、ステップＳ１１２に進む。
【０１１３】
一方、ＣＰＵ２２は、「明」ボタン５５または「暗」ボタン５６の入力指示であったと判断した場合（ステップＳ１００においてＹＥＳ）には、次に、押下されたボタンが「明」ボタン５５であるか「暗」ボタン５６であるかを特定する（ステップＳ１０２）。
【０１１４】
押下されたボタンが「明」ボタン５５である場合（ステップＳ１０２においてＹＥＳ）には、ＣＰＵ２２は、現在の調光率を予め規定された調光率分増加させる（ステップＳ１０４）。押下されたボタンが「暗」ボタン５６である場合（ステップＳ１０２においてＮＯ）には、ＣＰＵ２２は、現在の調光率を予め規定された調光率分減少させる（ステップＳ１０６）。そして、処理を終了する（リターン）。すなわち、再び、ステップＳ２に戻る。
【０１１５】
具体的には、全点灯（調光率１００％）の状態でユーザが「暗」ボタン５６を押下した場合には、半灯（調光率５０％）に設定される。半灯（調光率５０％）の状態で「暗」ボタン５６を押下した場合には、微灯（調光率３０％）に設定される。また、微灯（調光率３０％）の状態でユーザが「明」ボタン５５を押下した場合には、半灯（調光率５０％）に設定される。半灯（調光率５０％）の状態で「明」ボタン５５を押下した場合には、全点灯（調光率１００％）に設定される。
【０１１６】
ステップＳ１００において、ＣＰＵ２２は、「明」ボタン５５または「暗」ボタン５６の入力指示でなかったと判断した場合（ステップＳ１００においてＮＯ）には、調色ボタンの入力指示であるものと判断する。調色ボタンとは、本例においては、一例として、「暖色」ボタン６３、「寒色」ボタン６１、および「桃橙色」ボタン５９とする。
【０１１７】
ＣＰＵ２２は、調光ボタンの入力指示でなかったと判断した場合には、次に、押下されたボタンがいずれのボタンであるかを特定する（ステップＳ１１２，Ｓ１１３）。押下されたボタンが「暖色」ボタン６３である場合（ステップＳ１１２においてＹＥＳ）には、ＣＰＵ２２は、調光率は維持しつつ現在の色調の電球側の調光率を予め規定された調光率分増加させ、昼光色側の調光率を予め規定された調光率分減少させる（ステップＳ１１４）。押下されたボタンが「寒色」ボタン６１である場合（ステップＳ１１２においてＮＯ、かつステップＳ１１３においてＹＥＳ）には、ＣＰＵ２２は、調光率は維持しつつ現在の色調の電球側の調光率を予め規定された調光率分減少させ、昼光色側の調光率を予め規定された調光率分増加させる（ステップＳ１１６）。押下されたボタンが「桃橙色」ボタン５９である場合（ステップＳ１１２においてＮＯ、かつステップＳ１１３においてＮＯ）には、ＣＰＵ２２は、予め規定された調光率で赤色を点灯させ、かつ電球側の調光率を予め規定された調光率分減少させて（ステップＳ１１８）、現在の色調の調光率は維持しつつ色調を「桃橙色」に変化させる。そして、処理を終了する（リターン）。すなわち、再び、図７のステップＳ２に戻る。
【０１１８】
具体的には、昼光色の全灯（調光率１００％）である「昼光色」の状態でユーザが「暖色」ボタン６３を押下した場合には、「昼白色」に設定される。「昼白色」の状態で「暖色」ボタン６３を押下した場合には、「温白色」に設定される。「温白色」の状態で「暖色」ボタン６３を押下した場合には、「電球色」に設定される。また、「電球色」の状態でユーザが「寒色」ボタン６１を押下した場合には、「温白球色」に設定される。「温白色」の状態で「寒色」ボタン６１を押下した場合には、「昼白色」に設定される。「昼白色」の状態で「寒色」ボタン６１を押下した場合には、「昼光色」に設定される。
【０１１９】
上記においては、「暖色」ボタン６３または「寒色」ボタン６１の調色ボタンの入力指示に従って４段階で色調が変化する場合について説明したが、より複数段階にすることにより色調を細かく調整することが可能である。
【０１２０】
＜エコあかリズム（登録商標）モード＞
次に、本発明の実施の形態に従うエコあかリズム（登録商標）モードについて説明する。
【０１２１】
エコあかリズム（登録商標）モードは、人の生活リズムに合わせた快適な光環境となるよう調光および調色を、設定した時間帯ごとに自動的に実行するモードである。
【０１２２】
図１０は、本発明の実施の形態に従うエコあかリズム（登録商標）モードの調光率を説明する図である。
【０１２３】
図１０を参照して、ここでは、２４時間のヒトの生体リズムとの相関関係に基づいて昼光色と電球色と赤色との調光率を調整する場合が示されている。
【０１２４】
具体的には、２４時間を期間ｔＡ〜ｔＧの７つの期間にそれぞれ分けて、各期間における昼光色と電球色と赤色との調光率を設定する。
【０１２５】
具体的には、期間ｔＡは、６時００分〜６時３０分に設定されている。期間ｔＢは、６時３０分〜１８時００分に設定されている。期間ｔＣは、１８時００分〜１８時３０分に設定されている。期間ｔＤは、１８時３０分〜１９時３０分に設定されている。期間ｔＥは、１９時３０分〜２１時３０分に設定されている。期間ｔＦは、２１時３０分〜００時００分に設定されている。期間ｔＧは、００時００分〜６時００分に設定されている。ここで、起床時刻６時３０分、夕食時刻１８時３０分、就寝時刻２３時００分は、デフォルトとして予め設定されているものとする。なお、後述するが、エコあかリズム（登録商標）設定の設定において当該起床時刻６時３０分、夕食時刻１９時００分、就寝時刻２３時００分を変更することも可能である。この点については後述する。
【０１２６】
図１１は、エコあかリズム（登録商標）モードの各期間における照明部３０の動作を説明する動作テーブル図である。
【０１２７】
図１１を参照して、期間ｔＡ（時刻６時００分〜６時３０分）である起床時刻３０分前からの３０分間においては、早朝動作が実行される。具体的には、明るさとして、設定された深夜調光率（たとえば常夜灯）から調光率８０％まで、２段階で変化させる。すなわち、最初の短時間（たとえば３分間）で１段階目として深夜調光率から調光率１０％まで変化させた後、残りの長時間（たとえば２７分間）で２段階目として調光率８０％まで変化させる。なお、この調光率は１００％であってもよいし、他の調光率であってもよい。また、色調としては、上記最初の短時間（たとえば３分間）で１段階目として、設定された深夜色調（たとえば常夜灯の電球色）から電球色まで変化させ、残りの長時間（たとえば２７分間）で２段階目として電球色から昼光色へ変化させる。なお、後述するが深夜調光率についても複数の調光率から選択することが可能である。
【０１２８】
なお、図１０の例では、期間ｔＢから期間ｔＥまでの間において後述するエコセンサモードが適用されている例が示されており、後述するように、ＣＰＵ２２は、照度センサ２８で測定された照度に応じて予め設定された目標照度（たとえば、部屋に外光が入らないようにした状態で調光率８０％で点灯させたときの照度）となるように昼光色の調光率を変化させている。
【０１２９】
なお、エコあかリズム（登録商標）モードの実行中において、エコセンサモードを適用させないようにしてもよいし、エコセンサモードを適用させるか否かを選択できるようにしてもよい。エコセンサモードを適用させない場合は、各期間において予め所定の調光率が維持されるようにデフォルト値を設定してもよい。もしくは、ユーザが所望の調光率を設定できるようにしてもよい。その場合、期間（時間帯）ごとに、調光率を設定できるようにしてもよい。
【０１３０】
期間ｔＢ（６時３０分〜１８時００分）である起床時刻から夕食時刻の３０分前までにおいては、日中動作が実行される。具体的には、明るさとして、予め設定された目標照度（たとえば調光率８０％）を維持する。なお、この調光率は１００％であってもよい。また、色調として昼光色を維持する。
【０１３１】
期間ｔＣ（１８時００分〜１８時３０分）である夕食時刻３０分前からの３０分間においては、日没動作が実行される。具体的には、明るさとして、予め設定された目標照度（たとえば調光率８０％）を維持する。また、色調として昼光色から後述する夕食時の色調に変化させる。
【０１３２】
期間ｔＤ（１８時３０分〜１９時３０分）である夕食時刻から１時間後までにおいては、夕食動作が実行される。具体的には、明るさとして、予め設定された目標照度（たとえば調光率８０％）を維持する。また、色調として、予め夕食時の色調として指定された色調を維持する。
【０１３３】
夕食時の色調（光色）は、色温度４０００Ｋ〜５０００Ｋの色調（白色または昼白色）が該当する。この色調で照明することで食物がヒトの目には実際の色に近い色調でとらえられるとされている。そのため、食欲を増進させることができると言われている。
【０１３４】
期間ｔＥ（１９時３０分〜２１時３０分）である夕食時刻１時間後から就寝時刻１時間半前までにおいては、夕食後および深夜動作が実行される。具体的には、明るさとして、予め設定された目標照度（たとえば調光率８０％）を維持する。また、色調として、最初の短時間（たとえば３０分間）で１段階目として上記夕食時の色調から電球色に変化させ、残りの長時間（たとえば１時間３０分の間）で２段階目とし電球色を維持する。なお、この「短時間」、「長時間」は、設定時刻によっては長短入れ替わる可能性もあるものの、設定時刻によらず一定時間かけて変化される。
【０１３５】
期間ｔＦ（２１時３０分〜０時００分）である就寝時刻（２３時００分）の１時間半前から就寝時刻１時間後までにおいては、就寝前および就寝動作が実行される。期間ｔＦにおいてはエコセンサモードは適用されておらず、解除されている。具体的には、明るさとして、期間ｔＥの終了時に出力された調光率（８０％）から設定された就寝時調光率を経て設定された深夜調光率まで、２段階で変化させる。すなわち、就寝時刻１時間２０分前から就寝時刻１時間前までの２０分間で１段階目として期間ｔＥの終了時に出力された調光率（８０％）から就寝時調光率（たとえば５０％）まで変化させた後、就寝時刻１時間前から就寝時刻５７分間後までの１時間５７分間、就寝時調光率を維持し、その後の３分後で２段階目として就寝時調光率から深夜調光率（たとえば照明部の調光率０％かつ常夜灯）まで変化させる。また、色調としては電球色から後述する桃橙色を経て設定された深夜色調（たとえば常夜灯の電球色）まで、２段階で変化させる。すなわち、就寝時刻１時間半前から就寝時刻までの最初の１０分間（就寝時刻１時間半前から就寝時刻１時間２０分前までの間）で１段階目として電球色から桃橙色に変化させ、その後、就寝時刻から５７分後までの２時間１７分間、桃橙色を維持する。そして、その後の３分間で２段階目として桃橙色から設定された深夜色調まで変化させる。
【０１３６】
期間ｔＧ（０時００分〜６時００分）である就寝時刻１時間後から起床時刻３０分前においては、深夜動作が実行される。具体的には、明るさとして、設定された深夜調光率（たとえば照明部の調光率０％かつ常夜灯点灯）を維持する。また、色調として設定された深夜色調（たとえば常夜灯点灯による電球色）を維持する。
【０１３７】
なお、上記動作テーブルは、一例であり、動作テーブルに設定されている時刻および期間は、それぞれ別の時刻および期間とすることも可能であるし、また、さらに、別の動作を設けるようにすることも可能である。例えば、季節に応じて動作テーブルを変更するようにしても良い。
【０１３８】
上述した照明装置１のエコあかリズム（登録商標）モードにより、ヒトの生体リズムに合わせた明るさおよび色調に自動的に調整する光環境を実現することが可能である。
【０１３９】
なお、調光率および色調を変化させる各期間において、ヒトに違和感あるいは不快感を生じさせないように自然に変化させるため、時間の経過に従って一定の変化率で光色（色温度）が変化するように制御してもよいし、その他制御式に従って変化させてもよい。他の例として、色温度の高い昼光色に近いほど色温度の変化を速くさせ、色温度の低い電球色に近づくほど色温度の変化を遅くするように連続的に色調を変化させることで、時間の経過に従って等間隔に近い割合で色調が変化しているようにユーザに感じさせることができる。例えば、昼光色から電球色に変化する場合、時間当たりの色温度の変化率を減少させるべく、時間の経過に従って等比間隔で色温度の変化率を減少させるとよい。
【０１４０】
また、調光率と時間とのそれぞれを表わす縦軸と横軸とのうち、調光率を示す縦軸が対数である片対数グラフにおいて、調光率と時間との関係が線形となるように変化させてもよい。これにより、ヒトに違和感あるいは不快感をさらに生じさせることなく調光率を変化させることが可能となり、快適かつ自然な光環境を実現することが可能となる。
【０１４１】
図１２は、本発明の実施の形態に従うエコあかリズム（登録商標）モードのフローを説明する図である。
【０１４２】
当該フローは、ＣＰＵ２２がメモリ２９に格納されたプログラムを読み込むことにより実行されるものとする。
【０１４３】
図１２を参照して、ＣＰＵ２２は、エコあかリズム（登録商標）設定が有るかどうか判断する（ステップＳ３０）。
【０１４４】
ステップＳ３０において、ＣＰＵ２２は、エコあかリズム（登録商標）設定が有ると判断した場合には、エコあかリズム（登録商標）設定情報を取得する（ステップＳ３２）。なお、エコあかリズム（登録商標）設定情報については後述する。
【０１４５】
ステップＳ３０において、ＣＰＵ２２は、エコあかリズム（登録商標）設定が無いと判断した場合には、デフォルト値を取得する（ステップＳ３４）。
【０１４６】
そして、次に、ＣＰＵ２２は、エコあかリズム（登録商標）設定情報あるいはデフォルト値に基づいてエコあかリズム（登録商標）動作期間を設定する（ステップＳ３６）。具体的には、上述した起床時刻、夕食時刻、就寝時刻に従って期間ｔＡ〜ｔＧを設定する。
【０１４７】
そして、ＣＰＵ２２は、現在時刻を確認する（ステップＳ３８）。
そして、次に、ＣＰＵ２２は、現在時刻に従って、現在時刻が期間ｔＡ〜ｔＧのいずれの期間内であるか特定する（ステップＳ４０）。ＣＰＵ２２は、特定した期間の動作に従う調光率に設定する（ステップＳ４２）。
【０１４８】
そして、ＣＰＵ２２は、期間が満了したかどうかを判断する（ステップＳ４４）。期間が満了した場合には、次のステップＳ４６に進み、ステップＳ４６において、次の期間の動作に従う調光率に設定する。
【０１４９】
そして、期間が終了したかどうかを判断する（ステップＳ４８）。期間が終了していると判断した場合（ステップＳ４８においてＹＥＳ）には、ステップＳ４６に戻り、さらに次の期間の動作に従う調光率に設定する。
【０１５０】
当該処理を繰り返すことにより一例として、例えば、期間ｔＡ→ｔＢ→ｔＣ→ｔＤ→ｔＥ→ｔＦ→ｔＧ→ｔＡの動作が繰り返されて２４時間のヒトの生活リズムに合わせた調光を実行することが可能となる。
【０１５１】
なお、エコあかリズム（登録商標）モードを終了する場合には、ユーザがリモコン５０の「エコあかリズム（登録商標）」ボタン５８を再度押下することにより割込み処理によりエコあかリズム（登録商標）モードが停止されて、図７のステップＳ１に戻り、通常の点灯が実行されるものとする。
【０１５２】
また、ユーザが電源スイッチを操作して、電源スイッチをオフした場合には、電源の供給が停止するためエコあかリズム（登録商標）モードも終了する。なお、再度、ユーザが電源スイッチをオンした場合には、図７のステップＳ１に戻り、通常の点灯が実行されるものとする。
【０１５３】
＜エコあかリズム（登録商標）設定＞
次に、エコあかリズム（登録商標）設定について説明する。
【０１５４】
エコあかリズム（登録商標）設定は、上述したエコあかリズム（登録商標）モードにおける起床時刻、夕食時刻、就寝時刻、就寝時の調光率、および深夜調光率をユーザの個々の生活リズムや嗜好に応じて設定するモードである。
【０１５５】
ユーザがリモコン５０の「エコあかリズム（登録商標）設定」ボタン６２を押下することにより、エコあかリズム（登録商標）設定モードに移行する。
【０１５６】
図１３は、本発明の実施の形態に従うエコあかリズム（登録商標）設定における起床時刻、夕食時刻、就寝時刻の設定時刻、就寝時の調光率、および深夜調光率について説明する図である。
【０１５７】
図１３を参照して、ここでは、起床時刻、夕食時刻、就寝時刻についてそれぞれ０時００分〜２３時５９分の間で自由に設定することが可能である場合が示されている。
【０１５８】
なお、起床時刻については、就寝時刻から１時間２９分以内の時刻設定は受け付けないように設定される。この期間は、図１０の期間ｔＦのうちの就寝時刻後の期間、および期間ｔＥのうちの最初の３０分間の期間に相当する。
【０１５９】
また、夕食時刻については、起床時刻から５９分後以内の時刻設定は受け付けないように設定される。この期間は、図１０の期間ｔＢのうちの最初の５９分間の期間に相当する。
【０１６０】
また、就寝時刻については、夕食時刻から２時間２９分後以内の時刻設定は受け付けないように設定される。この期間は、図１０の期間ｔＤ、および期間ｔＥのうちの最初の１時間２９分間の期間に相当する。
【０１６１】
なお、受け付けない場合には、初期のプリセットされた時刻に設定されるものとする。
また、就寝時の調光率について５０％（明るさ「７」）、３０％（明るさ「５」）、および２０％（明るさ「３」）の３段階のうちから自由に設定することが可能である場合が示されている。
【０１６２】
また、深夜調光率について常夜灯と消灯とのうちから選択して設定することが可能である場合が示されている。
【０１６３】
以下、具体的にエコあかリズム（登録商標）設定の流れについて説明する。
ユーザがリモコン５０の「エコあかリズム（登録商標）設定」ボタン６２を押下すると、リモコン５０側では設定画面が表示される。具体的には、ＣＰＵ８６がメモリ８０に格納されたプログラムを読み出すことにより以下に従う設定画面が液晶パネル５２に表示される。
【０１６４】
図１４および図１５は、本発明の実施の形態に従うリモコン５０の液晶パネル５２におけるエコあかリズム（登録商標）設定の画面について説明する図である。
【０１６５】
図１４（Ａ）を参照して、「エコあかリズム（登録商標）設定」ボタン６２を押下すると、まず、エコあかリズムパターン番号の選択画面が液晶パネル５２に表示される。ユーザは、「ＵＰ」ボタン５７Ａおよび／または「ＤＯＷＮ」ボタン５７Ｂを操作することによりパターン番号（１〜３）を選択し設定することが可能である。なお、本例においては、一例として、液晶パネル５２の「エコあかリズム」表示が点滅し、「パターン１」を選択した場合が示されている。リモコン５０は、ユーザが「エコあかリズム設定」ボタンを押下することに従って当該液晶パネル５２に表示されているパターン番号（ここでは１）のエコあかリズム登録を開始する。そして、次に起床時刻の設定に移行する。
【０１６６】
図１４（Ｂ）を参照して、起床時刻の設定が可能な画面が液晶パネル５２に表示される。ユーザは、「ＵＰ」ボタン５７Ａおよび／または「ＤＯＷＮ」ボタン５７Ｂを操作することにより起床時刻を任意の値に設定することが可能である。なお、本例においては、一例として、液晶パネル５２に「エコあかリズム」および「起床」の文字が点滅し、「ＵＰ」ボタン５７Ａおよび／または「ＤＯＷＮ」ボタン５７Ｂを操作することにより起床時刻のデフォルト値として設定された「６：３０」から「７：００」に変更された場合が示されている。リモコン５０は、ユーザが「エコあかリズム（登録商標）設定」ボタンを押下することに従って当該液晶パネル５２に表示されている起床時刻情報（ここでは７：００）をリモコン５０内に保持する。そして、次に、夕食時刻の設定に移行する。
【０１６７】
図１４（Ｃ）を参照して、夕食時刻の設定が可能な画面が液晶パネル５２に表示される。ユーザは、「ＵＰ」ボタン５７Ａおよび／または「ＤＯＷＮ」ボタン５７Ｂを操作することにより夕食時刻を任意の値に設定することが可能である。なお、本例においては、一例として、液晶パネル５２にエコあかリズム」および「夕食」の文字が点滅し、「ＵＰ」ボタン５７Ａおよび／または「ＤＯＷＮ」ボタン５７Ｂを操作することにより夕食時刻のデフォルト値として設定された「１９：００」から「１９：３０」に変更された場合が示されている。リモコン５０は、ユーザが「エコあかリズム（登録商標）設定」ボタンを押下することに従って当該液晶パネル５２に表示されている夕食時刻情報（ここでは１９：３０）をリモコン５０内に保持する。そして、次に、就寝時刻の設定に移行する。
【０１６８】
図１４（Ｄ）を参照して、就寝時刻の設定が可能な画面が液晶パネル５２に表示される。ユーザは、「ＵＰ」ボタン５７Ａおよび／または「ＤＯＷＮ」ボタン５７Ｂを操作することにより就寝時刻を任意の値に設定することが可能である。なお、本例においては、一例として、液晶パネル５２に「エコあかリズム」および「就寝」の文字が点滅し、「ＵＰ」ボタン５７Ａおよび／または「ＤＯＷＮ」ボタン５７Ｂを操作することにより就寝時刻のデフォルト値として設定された「２３：００」から「２３：３０」に変更された場合が示されている。リモコン５０は、ユーザが「エコあかリズム（登録商標）設定」ボタンを押下することに従って当該液晶パネル５２に表示されている就寝時刻情報（ここでは２３：３０）をリモコン５０内に保持する。そして、次に、就寝時の調色設定に移行する。
【０１６９】
図１５（Ａ）を参照して、就寝時の調色の設定が可能な画面が液晶パネル５２に表示される。ユーザは、「ＵＰ」ボタン５７Ａおよび／または「ＤＯＷＮ」ボタン５７Ｂを操作することにより、就寝時の調色の数値を３段階で設定することが可能である。また、当該設定の際、照明装置１のＣＰＵ２２は、ＰＷＭ制御回路２３に対して照明部３０から発光される光色が液晶パネル５２に表示されている調色となるように制御する。具体的には、まず、照明装置１の調色は「桃橙色１」に設定される。そして、リモコン５０からの「ＵＰ」ボタン５７Ａおよび／または「ＤＯＷＮ」ボタン５７Ｂの入力に従って「桃橙色２」または「調色９」の指示が照明装置１に出力される。照明装置１のＣＰＵ２２は、調色の指示に従ってＰＷＭ制御回路２３に対して照明部３０から発光される調色を調整する。そして、次に、就寝時の調色設定に移行する。
【０１７０】
図１５（Ｂ）を参照して、就寝時の調光率の設定が可能な画面が液晶パネル５２に表示される。ユーザは、「ＵＰ」ボタン５７Ａおよび／または「ＤＯＷＮ」ボタン５７Ｂを操作することにより、就寝時の調光率の数値を上記３段階で設定することが可能である。また、当該設定の際、照明装置１のＣＰＵ２２は、ＰＷＭ制御回路２３に対して照明部３０から発光される調光率が液晶パネル５２に表示されている調光率となるように制御する。具体的には、まず、照明装置１の調光率は５０％（明るさ「７」）に設定される。そして、リモコン５０からの「ＵＰ」ボタン５７Ａおよび／または「ＤＯＷＮ」ボタン５７Ｂの入力に従って調光率の上昇／下降の指示が照明装置１に出力される。照明装置１のＣＰＵ２２は、調光率の上昇／下降の指示に従ってＰＷＭ制御回路２３に対して照明部３０から発光される調光率を調整する。そして、次に、深夜調光率の設定に移行する。
【０１７１】
図１５（Ｃ）を参照して、深夜調光率の設定が可能な画面が液晶パネル５２に表示される。ユーザは、「ＵＰ」ボタン５７Ａおよび／または「ＤＯＷＮ」ボタン５７Ｂを操作することにより、深夜調光率を上記２段階で設定することが可能である。また、当該設定の際、照明装置１のＣＰＵ２２は、ＰＷＭ制御回路２３に対して照明部３０から発光される調光率が液晶パネル５２に表示されている調光率となるように制御する。具体的には、まず、照明装置１の点灯状態は常夜灯に設定される。そして、リモコン５０からの「ＵＰ」ボタン５７Ａおよび／または「ＤＯＷＮ」ボタン５７Ｂの入力に従って消灯または常夜灯が決定される。
【０１７２】
なお、本例においては、一例として、液晶パネル５２に「エコあかリズム」および「就寝」の文字を点滅させ、「ＵＰ」ボタン５７Ａおよび／または「ＤＯＷＮ」ボタン５７Ｂを操作することにより深夜調光率のデフォルト値として設定された「常夜灯」が示されている。リモコン５０は、ユーザが「エコあかリズム（登録商標）設定」ボタン６２を押下することに従って、これまで保持している設定情報を順次照明装置１に出力する。
【０１７３】
図１６は、本発明の実施の形態に従うエコあかリズム（登録商標）設定のフローを説明する図である。
【０１７４】
当該フローは、ＣＰＵ２２がメモリ２９に格納されたプログラムを読み込むことにより実行されるものとする。
【０１７５】
図１６を参照して、エコあかリズム（登録商標）設定モードに移行した場合に、ＣＰＵ２２は、起床時刻情報の入力があるかどうか判断する（ステップＳ１２０）。具体的には、図１４で説明したリモコン５０からの起床時刻情報を受信したかどうかに基づいて判断する。
【０１７６】
ステップＳ１２０において、ＣＰＵ２２は、起床時刻情報の入力があると判断した場合（ステップＳ１２０においてＹＥＳ）には、入力された内容に従って起床時刻を仮の値としてＲＡＭ上に記憶する（ステップＳ１２２）。そして、再び、ステップＳ１２０に戻る。
【０１７７】
次に、ステップＳ１２０において、ＣＰＵ２２は、起床時刻情報の入力がなかったと判断した場合（ステップＳ１２０においてＮＯ）には、次に夕食時刻情報の入力があるかどうかを判断する（ステップＳ１２４）。具体的には、図１４で説明したリモコン５０からの夕食時刻情報を受信したかどうかに基づいて判断する。
【０１７８】
ステップＳ１２４において、ＣＰＵ２２は、夕食時刻情報の入力があると判断した場合（ステップＳ１２４においてＹＥＳ）には、入力された内容に従って夕食時刻を仮の値としてＲＡＭ上に記憶する（ステップＳ１２６）。そして、再び、ステップＳ１２０に戻る。
【０１７９】
次に、ステップＳ１２４において、ＣＰＵ２２は、時刻情報の入力がなかったと判断した場合（ステップＳ１２４においてＮＯ）には、次に就寝時刻情報の入力があるかどうかを判断する（ステップＳ１２８）。具体的には、図１４で説明したリモコン５０からの就寝時刻情報を受信したかどうかに基づいて判断する。
【０１８０】
ステップＳ１２８において、ＣＰＵ２２は、就寝時刻情報の入力があると判断した場合（ステップＳ１２８においてＹＥＳ）には、入力された内容に従って就寝時刻を仮の値としてＲＡＭ上に記憶する（ステップＳ１３０）。
【０１８１】
次に、ステップＳ１２８において、ＣＰＵ２２は、就寝時刻情報の入力がないと判断した場合（ステップＳ１２８においてＮＯ）には、その他データの情報の入力があるかどうかを判断する（ステップＳ１３４）。具体的には、図１５で説明したリモコン５０からの就寝時の明るさと就寝時の光色と深夜調光率と設定パターン番号との情報を受信したかどうかに基づいて判断する。
【０１８２】
ステップＳ１３４において、その他データの情報の入力があると判断した場合（ステップＳ１３４においてＹＥＳ）には、仮の値として記憶している起床時刻を設定する（ステップＳ１３６）。続けて、仮の値として記憶している夕食時刻を設定する（ステップＳ１３７）。続けて、仮の値として記憶している就寝時刻を設定する（ステップＳ１３８）。続けて、入力された内容に従ってその他データを設定する（ステップＳ１３９）。そして、処理を終了する（リターン）。
【０１８３】
ステップＳ１３４において、就寝時の調光率情報の入力が無いと判断した場合（ステップＳ１３４においてＮＯ）には、処理を終了する（リターン）。
【０１８４】
当該動作により、エコあかリズム（登録商標）モードにおけるエコあかリズム（登録商標）設定情報である起床時刻情報、夕食時刻情報、就寝時刻情報、就寝時の調光率と調色情報および深夜調光率情報を設定することが可能となる。当該エコあかリズム（登録商標）設定情報は、メモリ２９に格納されるものとする。そして、エコあかリズム（登録商標）設定情報がメモリ２９に格納されることにより図１２のステップＳ３０においてエコあかリズム（登録商標）設定有りと判断される。
【０１８５】
そして、エコあかリズム（登録商標）モードにおいて、図１２で説明したステップＳ３６において、メモリ２９に格納されたエコあかリズム（登録商標）設定情報である、エコあかリズム（登録商標）設定に関する起床時刻、夕食時刻、就寝時刻に基づいてエコあかリズム（登録商標）動作期間が設定されて、エコあかリズム（登録商標）設定に従うエコあかリズム（登録商標）モードを実行することが可能となる。また、就寝時の調光率情報に従う就寝時の調光率に設定すること、および深夜調光率情報に従う深夜調光率に設定することが可能となる。
【０１８６】
したがって、各ヒトの個々の生活リズムに合わせた調光および調色を実行して、快適な光環境を実現することが可能となる。
【０１８７】
なお、上述したエコあかリズム（登録商標）モードが実行されている場合においても、ユーザがリモコン５０の「エコあかリズム（登録商標）設定」ボタン６２を押下することにより、割込み処理により、エコあかリズム（登録商標）設定モードに移行する。そして、エコあかリズム（登録商標）設定モードが終了した場合には、再び、図１７におけるエコあかリズム（登録商標）モードの処理が再度実行される。当該処理により、新たに設定されたエコあかリズム（登録商標）設定情報に基づいて、エコあかリズム（登録商標）モードが実行され、快適な光環境を実現することが可能となる。
【０１８８】
なお、本例においては、エコあかリズム（登録商標）設定モードにおいて、３つの時刻と、就寝時の調光率、就寝時の調色および深夜調光率とを設定する場合について説明したが、特にこれに限られず、図１０に示されるそれぞれ期間および動作をユーザの好みに合わせて設定可能とするようにしてもよい。
【０１８９】
また、本例においては、エコあかリズム（登録商標）設定モードにおいて起床時刻、夕食時刻、および就寝時刻の３つの時刻が１パターン設定される場合について説明したが、複数パターン設定されてもよい。その場合、たとえば、「エコあかリズム（登録商標）設定１」「エコあかリズム（登録商標）設定２」などボタンを設けて、パターンごとの時刻等の指示を受け付けてもよい。または、図１４および図１５に表わされた一連の設定動作によって１パターンの設定を受け付けた後に、連続して、次のパターンの設定を受け付けてもよい。
【０１９０】
＜エコ調光モード＞
次に、エコ調光モードについて説明する。
【０１９１】
エコ調光モードでは、点灯開始から一定の時間で、点灯開始時の輝度（照明部３０からの発光出力）に対して一定の割合で減光する。すなわち、点灯開始時には設定された輝度で点灯する。なお、「点灯開始時」にはユーザの操作で明るさ変更された場合も含まれる。
【０１９２】
点灯開始時または調光率や色調の変更時から一定の時間としてたとえば１０分間が設定され、一定の割合としてその時点の輝度である初期の調光値Ｘの２０％が設定されていると、点灯開始時から１０分間で調光値が初期の調光値Ｘの８０％となるまで減光する。
【０１９３】
図１７は、本発明の実施の形態に従うエコ調光モードにおける調光率のグラフを説明する図である。
【０１９４】
図１７（Ａ）を参照して、本例においては、縦軸が対数である片対数グラフが示されている。縦軸の単位は、０．１％である。横軸の単位は秒である。
【０１９５】
当該片対数グラフにおいて、調光率と時間との関係が線形となるように減光される場合が示されている。具体的には、片対数グラフにおいて期間１０分（６００秒）の間に調光率１００％が調光率８０％に調整される場合が示されている。
【０１９６】
図１７（Ｂ）を参照して、上記図１７（Ａ）の片対数グラフを通常のグラフとした場合が示されている。
【０１９７】
当該方式により減光することによりヒトに違和感あるいは不快感をさらに生じさせることなく減光させることが可能となり快適かつ自然な光環境を実現しつつ省エネを図ることが可能となる。
【０１９８】
図１８は、本発明の実施の形態に従うエコ調光モードの処理を説明するフロー図である。
【０１９９】
当該フローは、ＣＰＵ２２がメモリ２９に格納されたプログラムを読み込むことにより実行されるものとする。
【０２００】
ＣＰＵ２２は、図１７に表わされた処理を所定間隔（たとえば１秒間隔）の割込み処理で実行する。
【０２０１】
図１８を参照して、まず、ＣＰＵ２２は、点灯を開始するか否かを判断する（ステップＳ１６０）。点灯の開始でなかったと判断した場合（ステップＳ１６０においてＮＯ）には、ステップＳ１６６に進む。
【０２０２】
一方、ＣＰＵ２２は、点灯開始と判断した場合（ステップＳ１６０においてＹＥＳ）には、調光率を１００％に設定する（ステップＳ１６２）。具体的には、ＣＰＵ２２は、ＰＷＭ制御回路２３に対してＬＥＤモジュール３１および／またはＬＥＤモジュール３２の発光に従う調光率が１００％となるように制御する。当該制御により、点灯開始時にユーザは、調光率１００％の明るさを認識することが可能となる。
【０２０３】
次に、ＣＰＵ２２は、減光時間を計時するための減光タイマを所定時間（本例では６００秒）にセットし、減光目標とする調光率（本例では８０％）を決定して（ステップＳ１６４）、処理を終了する（リターン）。すなわち、再び、図７のステップＳ１に戻る。
【０２０４】
一方、ステップＳ１６０において、点灯の開始でなかったと判断した場合（ステップＳ１６０においてＮＯ）には、ＣＰＵ２２は減光タイマが０かどうかを判断する（ステップＳ１６６）。減光タイマが０であると判断した場合（ステップＳ１６６においてＮＯ）には、処理を終了する（リターン）。
【０２０５】
ステップＳ１６６において減光タイマが０でないと判断した場合（ステップＳ１６６においてＹＥＳ）には、ＣＰＵ２２は減光処理（ステップＳ１６８）を実行する。
【０２０６】
図１９は、ステップＳ１６８の減光処理のサブルーチンを説明する図である。
図１９を参照して、減光処理が開始すると、ＣＰＵ２２は、図１７に表わされた調光率と時間との関係を示す関係式にその時点での減光タイマを変数として代入することによって、その時点で減光する値（調光率）をＤＯＷＮ値として算出する（ステップＳ１８０）。
【０２０７】
そして、ＣＰＵ２２は、現在の出力値（調光率）から算出したＤＯＷＮ値を差し引いた値を調光率として設定する（ステップＳ１８２）。具体的には、ＣＰＵ２２は、ＰＷＭ制御回路２３に対してＬＥＤモジュール３１および／またはＬＥＤモジュール３２の発光に従う調光率が算出された値となるように制御する。
【０２０８】
その後、ＣＰＵ２２は、減光タイマを１デクリメントして（ステップＳ１８４）、減光処理を終了する（リターン）。
【０２０９】
上の例は点灯開始からの動作を表わすものであるが、調光率や色調の変更時でも同様の動作を行なうものとする。
【０２１０】
当該動作により、エコ調光モードでは、点灯開始から一定の時間で、点灯開始時または調光率や色調の変更時の輝度に対する所定割合の輝度まで、図１７に表わされたように徐々に減光される。なお、本例では図１７に表わされたように縦軸が対数である片対数グラフにおいて調光率が時間経過に対して対数的に変化させているが、調光率を時間経過に対して線形に変化させてもよい。これにより、早い時間で減光を進行させることが可能となり省エネを図ることが可能となる。
【０２１１】
エコ調光モードは、ユーザが「エコ調光」ボタン６０を押下することにより点灯制御指示がリモコン５０から出力される。照明装置１のＣＰＵ２２は、リモコン５０からの点灯制御指示の入力を受けて、ＰＷＭ制御回路２３に対して照明部３０への点灯制御を開始するように指示する。ここで、「エコ調光」ボタン６０の押下すなわち、リモコン５０からの点灯制御指示の入力に従って、「エコ調光モード」→「通常モード」→「エコ調光モード」→・・・を繰り返すものとする。すなわち、エコ調光モード中にリモコン５０からの点灯制御指示が入力されると、照明装置１のＣＰＵ２２はエコ調光モードを解除する。このとき、ＣＰＵ２２は、ＰＷＭ制御回路２３に対して点灯開始時の輝度となるように制御する。
【０２１２】
なお、エコ調光モードは、エコあかリズム（登録商標）モードと組み合わせることができる。この場合、エコあかリズム（登録商標）モードの期間ｔＡ〜ｔＦの期間でのそれぞれの点灯制御において、ＣＰＵ２２は、当該期間開始から一定の時間で、開始時の輝度に対する所定割合の輝度まで徐々に減光する。図１０の例では上記期間にエコ調光モードが適用されて、上記期間の調光率が全灯（１００％）と設定されていた場合に、８０％の調光率まで減少させている例が表わされている。
【０２１３】
＜エコセンサモード＞
次に、エコセンサモードについて説明する。
【０２１４】
エコセンサモードは、予め設定した目標照度と照度センサ２８で検出した照度とを比較して、照明部３０の光出力である調光率を自動で調光制御および消灯制御するモードである。エコセンサモードでは、外光が十分に入り、たとえば照度センサ２８の出力が飽和した場合（照度センサ２８が検出可能な最大照度になった場合）や検出した照度が目標照度を大きく上回る場合には、照明部３０を消灯制御する。
【０２１５】
ユーザがリモコン５０の「エコセンサ」ボタン７０を押下することにより、エコセンサモードに移行する。
【０２１６】
エコセンサモードでは、ＣＰＵ２２は、所定間隔に規定回数（たとえば０．５ミリ秒ごとに８回、など）、照度センサ２８での測定結果を取得する。そして、この平均値を算出する。この平均値を、測定値Ｍ１とする。ＣＰＵ２２は所定期間、測定値Ｍ１の算出を繰り返し、メモリ２９の所定領域にする。そして、所定回数（たとえば１０回）分の測定値Ｍ１のトリム平均を算出する。この平均値を、測定値Ｍ２とする。０．５ミリ秒ごとに８回照度センサ２８での測定結果を取得して測定値Ｍ１を算出することで４ミリ秒ごと平均値が得られ、その測定値Ｍ１の１０回分で測定値Ｍ２を算出することで２秒の平均値が得られることになる。
【０２１７】
エコセンサモードに先立って、目標照度が設定される。目標照度の設定は、ユーザがリモコン５０の「環境登録」ボタン６９を押下することにより行なわれる。すなわち、「環境登録」ボタン６９が押下されたことによる信号を受信すると、ＣＰＵ２２は上述の測定値Ｍ２を算出し、算出された測定値Ｍ２をそのときの照度を表わす値として取得する。そして、メモリ２９の所定領域に取得した値を「目標照度」として書き込む。
【０２１８】
目標照度の設定は、照明装置１を設置した部屋に外光が入らない状態にした後、ユーザがリモコン５０で所望の明るさとなるように調光率を調整した後「環境登録」ボタン６９を押下することで正確に所望の照度を「目標照度」として設定することが可能である。
【０２１９】
なお、本例においては、「目標照度」をユーザ自身がリモコン５０で所望の明るさとなるように調光率を調整して設定する例について説明したが、メモリ２９に予めデフォルト値としての異なる値の「目標照度」を複数登録しておき、ユーザが当該複数の「目標照度」から選択して「目標照度」を設定できるようにしてもよい。
【０２２０】
さらに、ＣＰＵ２２は、目標照度に基づいて、ユーザによる目標照度の変更を可能とするために多段階の照度レベルを設定する。また、各照度レベルについて、ハンチングを防ぐために、目標照度範囲を規定するハイレベルとロウレベルとを設定する。ここでは、目標照度を照度レベル１のハイレベルとし、それよりも照度の低い照度レベル１のロウレベル、照度レベル１よりも照度の高い照度レベル２、３のそれぞれのハイレベル、ロウレベルを設定する。
【０２２１】
図２０は、照度レベルの設定を説明するための図である。
図２０を参照して、ＣＰＵ２２は、一例として、「照度レベル１のハイレベル」として目標照度（図中のＡ値）を設定し、「照度レベル２のハイレベル」として照度レベル１のハイレベルの１．２倍の照度（図中のＢ値）を設定し、「照度レベル３のハイレベル」として照度レベル２のハイレベルの１．２倍の照度（図中のＣ値）を設定する。さらに、それぞれの照度レベルのロウレベルとして、ハイレベルとして設定された照度の０．９倍の照度を設定する。また、後述する、急に暗くなった事を検知するための「暗い判定」に用いる判定値として、目標照度（図中のＡ値）の０．５倍の照度を設定する。
【０２２２】
ＣＰＵ２２は、エコセンサモードでの制御のために、予め明るさ（照度）ごとに「明るさレベル」をメモリ２９に登録しておくものとする。なお、明るさの単位はルクス（ｌｘ）とする。
【０２２３】
図２１は、明るさレベルと登録された明るさとの対応の一例を示す図である。
図２１の例では、明るさレベル２８が全灯を表わし、明るさレベル１が微灯を表わしている。ＣＰＵ２２は上記対応にしたがって、エコセンサモードにおいて明るさレベル２８（全灯）〜１（微灯）の範囲で調光する。
【０２２４】
エコセンサモードでの制御は、スタート時の制御と通常制御との２種類の制御がある。エコセンサモードが開始されるとスタート時の制御が行なわれ、その後、判定結果に応じて通常制御に移行する。
【０２２５】
図２２は、本発明の実施の形態に従うエコセンサモードのフローを説明する図である。
当該フローは、ＣＰＵ２２がメモリ２９に格納されたプログラムを読み込むことにより実行されるものとする。
【０２２６】
図２２を参照して、エコセンサモードに移行した場合に、ＣＰＵ２２は照度測定を行なう（ステップＳ２２０）。ここでの照度測定は、上述のように照度センサ２８からの測定結果から測定値Ｍ２を算出する処理を指す。
【０２２７】
そして、１回分の測定値Ｍ２が得られると、つまり、上述の例では２秒間の測定結果の平均値である測定値Ｍ２が得られると（ステップＳ２２２でＹＥＳ）、ＣＰＵ２２は、測定値Ｍ２と目標照度である設定された照度レベル１とを比較する判定動作を行なう。
【０２２８】
判定動作の結果、測定値Ｍ２が目標照度である照度レベル１のハイレベルよりも高い照度を示している場合（ステップＳ２２４でＹＥＳ）、ＣＰＵ２２は、現在の明るさレベルを１段階下げるように調光率を変更する（ステップＳ２２６）。
【０２２９】
測定値Ｍ２が目標照度である照度レベル１のロウレベルよりも低い照度を示している場合（ステップＳ２２４でＮＯ、かつステップＳ２２８でＹＥＳ）、ＣＰＵ２２は、現在の明るさレベルを１段階上げるように調光率を変更する（ステップＳ２３０）。
【０２３０】
ステップＳ２２６またはステップＳ２３０で調光率を変更すると、ＣＰＵ２２はその後、ステップＳ２２０の動作へ戻る。そして、測定値Ｍ２が目標照度である照度レベル１のロウレベルとハイレベルとの間の照度を示していると判定されるまで、上の動作を繰り返す。
【０２３１】
測定値Ｍ２が目標照度である照度レベル１のロウレベルとハイレベルとの間の照度を示している場合（ステップＳ２２４でＮＯ、かつステップＳ２２８でＮＯ）、現在の明るさレベルが目標照度に合致しているものとして、ＣＰＵ２２は、明るさレベルを変更しない。そして、以上の、スタート時の制御を終了して、通常制御に移行する。
【０２３２】
通常制御に移行すると、ＣＰＵ２２は照度測定を行なう（ステップＳ２３２）。ここでの照度測定は、ステップＳ２２０と同様に、上述のように照度センサ２８からの測定結果から測定値Ｍ２を算出する処理を指す。
【０２３３】
通常制御では、ＣＰＵ２２は、測定値Ｍ２と目標照度である設定された照度レベル１とを比較する判定動作を２回行ない、２回とも同じ判定結果であった場合に、明るさレベルを変更する。なお、この際ＣＰＵ２２、明るさレベルを変更している最中の照度センサ２８での測定結果を用いて得られた測定値Ｍ２は（ステップＳ２３４でＹＥＳ）、判定動作には用いない。
【０２３４】
すなわち、２回の判定動作の結果ともに、測定値Ｍ２が目標照度である照度レベル１のハイレベルよりも高い照度を示している場合（ステップＳ２３６でＹＥＳ）、ＣＰＵ２２は、現在の明るさレベルを１段階下げるように調光率を変更する（ステップＳ２３８）。
【０２３５】
２回の判定動作の結果ともに、測定値Ｍ２が目標照度である照度レベル１のロウレベルよりも低い照度を示している場合（ステップＳ２３６でＮＯ、かつステップＳ２４０でＹＥＳ）、ＣＰＵ２２は、現在の明るさレベルを１段階上げるように調光率を変更する（ステップＳ２４２）。
【０２３６】
２回の判定動作の結果が異なる場合や、２回の判定動作の結果ともに測定値Ｍ２が目標照度である照度レベル１のロウレベルとハイレベルとの間の照度を示している場合には（ステップＳ２３６でＮＯ、かつステップＳ２４０でＮＯ）、ＣＰＵ２２は、明るさレベルを変更しない。
【０２３７】
ＣＰＵ２２は、エコセンサモードの間中、以上の通常制御を繰り返す。
図２３および図２４は、それぞれ、スタート時の制御および通常制御を説明するための図である。
【０２３８】
上述の例のように２秒ごとに測定値Ｍ２が算出されるものとすると、図２３を参照して、スタート時の制御では、ＣＰＵ２２は、２秒ごとに測定値Ｍ２と目標照度である照度レベル１とを比較し、照度レベル１に近づけるように明るさレベルを変更する。図２３の例では、判定動作において測定値Ｍ２が目標照度よりも低いと判定されると、ＣＰＵ２２は、照度レベル１に近づけるように明るさレベルを１段階上げる。そして、測定値Ｍ２が目標照度の範囲内に達すると、スタート時の制御を終了する。なお、スタート時の制御では、明るさレベルを変更しているときに得られた測定値Ｍ２も次の判定動作に用いる。
【０２３９】
図２４を参照して、通常制御では、ＣＰＵ２２は、２秒ごとに測定値Ｍ２と目標照度である照度レベル１とを比較するものの、２回連続して同じ判定結果であった場合に、照度レベル１に近づけるように明るさレベルを変更する。図２４の例では、判定動作において２回連続して測定値Ｍ２が目標照度よりも低いと判定されると、その２回目の判定時にＣＰＵ２２は、照度レベル１に近づけるように明るさレベルを１段階上げる。そして、さらに、明るさレベルを変更しているときに得られた測定値Ｍ２は判定動作に用いない。明るさレベルの変更のための測定値Ｍ２の判定動作を少なくとも２回行なうことで、１回の判定動作で明るさレベルの変更を行なうスタート時の制御に比べて明るさレベル変更の時間間隔を遅らせることができる。また、明るさレベルを変更しているときに得られた測定値Ｍ２を判定動作に用いないことで、明るさレベル変更の時間間隔をより遅らせることができる。
【０２４０】
図２３および図２４に示されるように、エコセンサモードでは、目標照度に達するまでのスタート時の制御において、通常制御よりも短い間隔で明るさレベルが変更されることになる。すなわち、エコセンサモードに移行した当初は、急速に目標照度に達するまで調光率が制御される。
【０２４１】
たとえば、上述の例の場合、スタート時の制御において全灯から微灯まで２７段階変更されるのに要する最短時間は、判定時間（２秒×２７＝５４秒）＋最後の調光変更時間（２００ミリ秒）＝５４．２秒となる。
【０２４２】
このような制御によって、たとえば目標照度を低めに設定していた場合には、緩やかにその照度まで調光率を変化させるよりもより消費電力を抑えることができる。
【０２４３】
反対に、いったん目標照度に達した後の制御である通常制御では、スタート時の制御よりも長い間隔で明るさレベルが変更されることになる。すなわち、いったん目標照度に達した後は、照度の変化に応じたて、スタート時の制御よりも長い間隔で、すなわち緩やかに調光率が制御される。
【０２４４】
たとえば、上述の例の場合、通常制御において全灯から微灯まで２７段階変更されるのに要する最短時間は、判定時間および途中の調光変更時間（スキップする判定時間）（６秒×２６＝１５６秒）＋最後の判定時間（４秒）＋最後の調光変更時間（２００ミリ秒）＝１６０．２秒となる。
【０２４５】
このような制御によって、いったん目標照度に達した後は細かい間隔での明るさレベルの変更によるチラツキを抑えることができ、不快感を抑えることができる。
【０２４６】
なお、本例においては、通常制御の明るさレベルの変更のための判定動作の回数をスタート時の制御よりも多くする方法と、通常制御において明るさレベルを変更しているときに得られた測定値を判定動作に用いないようにする方法によってスタート時の制御に比べて通常制御の明るさレベル変更の時間間隔を遅らせる例について説明したが、いずれか一方の方法のみを用いることでスタート時の制御よりも通常制御の明るさレベル変更の時間間隔を遅らせるように制御してもよい。
【０２４７】
なお、エコセンサモードにおいてたとえばユーザがリモコン５０の「エコセンサ」ボタン７０を押下することにより、目標照度を変更することもできる。具体的には、ＣＰＵ２２は、目標照度が照度レベル１であるときに「エコセンサ」ボタン７０の押下を受け付けると判定動作に用いる照度レベルを現在のレベルから照度レベル２に１段階上げる。さらに、目標照度が照度レベル２であるときに「エコセンサ」ボタン７０の押下を受け付けると照度レベル３に１段階上げる。目標照度が照度レベル３であるときに「エコセンサ」ボタン７０の押下を受け付けると、ＣＰＵ２２はエコセンサモードを終了する。なお、本例においては照度レベルの変更を「エコセンサ」ボタン７０にて行なう例について説明したが、「明」ボタン５５や「暗」ボタン５６にて照度レベルの変更を行なうようにしてもよい。
【０２４８】
また、エコセンサモード中に「エコセンサ」ボタン７０の押下を受け付けるとエコセンサモードを解除し、エコセンサモードが解除されている際に「エコセンサ」ボタン７０の押下を受け付けると前回設定したレベルでエコセンサモードが設定されてもよい。そして、そのまま続けて「エコセンサ」ボタン７０の押下を受け付けると、照度レベルがレベルが１→２→３→１・・と繰り返して変化するようにしてもよい。
【０２４９】
上述したように部屋に外光が入らない状態で所望の明るさレベルにして目標照度を設定した場合、たとえ外光が入る状態にした後エコセンサモードにて設定した目標照度に調光したとしても、ユーザは部屋の内外の照度の差によって部屋の照度が足りず暗く感じるという場合がある。そのような場合であっても、「エコセンサ」ボタン７０を再度押下するだけで初めに設定した照度レベル１から照度レベル２に目標照度を上げることができるのですぐにより明るい目標照度に変更して調光することができる。従って、再度目標照度を設定しなおす必要がないので、ユーザの利便性が向上する。
【０２５０】
このとき、好ましくは、ＣＰＵ２２は、変更された方向に明るさレベルをヒトが明るさが変化したとわかる程度（たとえば６段階）いったん変化させた後に、上述のスタート時の制御を行なって調光率を新たに設定した目標照度まで変化させる。
【０２５１】
具体的には、エコセンサモードにおいて「エコセンサ」ボタン７０の押下を受け付けると、ＣＰＵ２２は、判定動作に用いる照度レベルを現在のレベルから１段階上げると共に、調光率を現在の明るさレベルから６段階上がるように変更する。その後、ＣＰＵ２２はスタート時の制御を行なって、目標照度範囲になるように調光率を急速に変更する。照度レベルを上げたときに一旦調光率を現在の明るさレベルから複数段階（本例では６段階）上げた後でスタート時の制御を開始することで、ユーザに明るさレベルが上がったことがより感じられやすくなる。
【０２５２】
なお、ＣＰＵ２２は、好ましくは上述の通常制御において、たとえばカーテンを閉めたときの室内の照度変化のような、周囲の明るさが極端に暗くなったか否かを判定する「暗い判定」を行なう。ここでは、上述の「暗い判定」用の判定値を用いる。
【０２５３】
すなわち、ＣＰＵ２２は、通常制御の上記判定動作において測定値Ｍ２が「暗い判定」用の判定値よりも低い照度を示している場合、周囲の明るさが極端に暗くなったと判定し、直ちに明るさレベルを全灯に該当する明るさレベル２８となるように調光率を変更する。そしてその後、スタート時の制御に移行する。
【０２５４】
なお、ＣＰＵ２２はエコセンサモード開始に、その時の明るさレベルをメモリ２９の所定領域に書き込む。そして、エコセンサモードを解除する場合、ＣＰＵ２２エコセンサモード開始時の明るさレベルに戻す。
【０２５５】
このような動作を行なうことによって、たとえばカーテンを閉めた場合などの周囲の明るさが極端に暗くなったときにも、適切に目標照度とすることができる。
【０２５６】
なお、このような制御は、他の制御モードと組み合わせることもできる。たとえば、図７のステップＳ６のエコあかリズム（登録商標）モードに適用することができる。図１０の例では、起床時刻から就寝時刻１時間半前までの期間ｔＢ〜ｔＥにエコセンサモードが適用されている例が示されている。
【０２５７】
図２５は、エコあかリズム（登録商標）モードにエコセンサモードを適用した場合の、時間帯ごとの照明部３０の光出力（明るさ）の範囲を説明する図である。なお、図２５の各期間は図１０の各期間と対応したものである。
【０２５８】
図２５を参照して、図１０に示す、６時３０分〜１８時００分である日中の期間ｔＢには光出力（明るさ）の下限値が設定されず、たとえば、外光が十分に入り、外光のみによって被照射面の照度が目標照度を十分上回るような場合や、照度センサ２８での測定値Ｍ２が最大値になる場合（照度センサ２８の出力が飽和する場合）には、照明部３０の光出力は消灯（調光率０％）まで制御される。
【０２５９】
図１０に示す１８時００分〜１８時３０分である夕食時刻３０分前から夕食時刻までの期間ｔＣと、図１０に示す１８時３０分〜１９時３０分である夕食時刻からの１時間の期間ｔＤとには、所定の期間として、明るさの下限値が微灯である調光率１０％であると設定されている。
【０２６０】
図１０に示す１９時３０分〜２２時３０分である夕食時刻１時間後から就寝時刻の１時間半前までの期間ｔＥには、所定の期間として、明るさの下限値が就寝時の調光率であると設定されている。
【０２６１】
すなわち、エコセンサモードを実行中の所定の時間帯である期間ｔＣ、ｔＤ、ｔＥでは照明部３０の光出力を、予め設定された下限値以上となるように制御し、上記所定の時間帯とは異なる期間ｔＢでは光出力の下限値がなく、照度センサ２８での測定値Ｍ２の値に応じて照明部３０の光出力を消灯制御する。なお、就寝時の調光率は先述のように、「エコあかリズム（登録商標）設定モード」にてユーザによって設定されるものであってもよいし、デフォルト値として予め設定された調光率であってもよい。
【０２６２】
このように、エコあかリズム（登録商標）モードにエコセンサモードを適用した場合、図１０に示すエコあかリズム（登録商標）モードでの期間ｔＢ〜ｔＥまでエコセンサモードが適用される。すなわち、エコセンサモードの終了直後の時間帯は図１０に示す期間ｔＦとなる。
【０２６３】
なお、エコあかリズム（登録商標）モードにエコセンサモードを適用し、さらにエコ調光モードを適用した場合、エコセンサモードが適用される期間ｔＢ〜ｔＥにおける最大調光率（上限値）は８０％となる。エコ調光モードを適用しない場合は、最大調光率は１００％となる。
【０２６４】
もちろん、時間帯ごとに個別に（独立して）目標照度が設定されてもよい。たとえば、「日中」の目標照度に対して「夕食」「夕食後」「夜間」の目標照度を低く設定してもよい。
【０２６５】
図２５の規定は予めメモリ２９に記憶されており、ＣＰＵ２２がメモリ２９に格納されたプログラムを読み込んでエコセンサモードのフローを実行する際に、この規定に従って調光率を制御する。すなわち、上記ステップＳ２２６や上記ステップＳ２３８で明るさレベルを下げると判断された場合であっても、制御期間が上記期間ｔＢ〜ｔＥであってそのときの調光率がすでに規定された下限値に達している場合には、ＣＰＵ２２は明るさレベルを下げない。
【０２６６】
期間ｔＣおよび期間ｔＤでの明るさの下限値を微灯である調光率１０％としておくことで、照度センサ２８での測定値Ｍ２が大きい値付近で遷移する場合に微灯に維持されることになり、点灯と消灯とが繰り返されることを防止できる。特に、日没時刻を含む期間ｔＣでは外光が目標照度付近で上下変動する可能性があり、測定値Ｍ２が目標照度付近で遷移する可能性が高い。こういった場合に調光率の下限値が設定されていないと照明部の点灯と消灯とが繰り返されることになる場合がある。
【０２６７】
また、期間ｔＤ，ｔＥでの明るさの下限値を就寝時の調光率としておくことで、後述するように就寝時刻に就寝時の調光率となるように調光率を減少させて自然な眠気を誘う期間ｔＦに、調光率が増加することを防止できる。なお、期間ｔＥでの明るさの下限値は就寝時の調光率以上であってもよいし、エコあかリズム（登録商標）設定でユーザが選択した就寝時の調光率に応じて、期間ｔＥでの下限値が選択された調光率と同一またはそれより大きい値になるように設定されるようにしてもよい。
【０２６８】
また、本例においては、エコあかリズム（登録商標）モードにエコセンサモードを適用した場合、エコあかリズム（登録商標）モードに従って光色を変化させる際（たとえば、期間ｔＣ、期間ｔＥ、期間ｔＦの最初の短時間）にも、明るさの下限値を少なくとも点灯状態（たとえば微灯）とすることで、エコセンサモードを動作させながら正常に色調を変化させることが可能となる。つまり、エコセンサモードを適用したエコあかリズム（登録商標）モード中であっても、下限値が設定された時間帯で光色が変化するので、変化中に消灯されることがない。そのため、正常に調色制御を実現することが可能となる。
【０２６９】
なお、エコあかリズム（登録商標）モードに従って光色を変化させる際に正常に色調を変化させるために、これら期間中の色調が変化している期間（たとえば、期間ｔＣ、期間ｔＥ、期間ｔＦの最初の短時間）においては、エコセンサモードを一時的に停止するようにしてもよい。すなわち、照度センサ２８での測定に基く調光率の制御を停止しておいてよい。このようにすることで、この期間での光色が異なる各ＬＥＤモジュールの調光率の割合の変化を色調の変化のみに基づいて決定することができ、制御を容易とすることができる。このエコセンサモードを一時的に停止した点灯状態における調光率は特定の調光率には限定されない。そのため、目標照度と同等の調光率でも、エコセンサモードが停止した時点での調光率でも、微灯でもよい。
【０２７０】
なお、図２５の例は、時間帯ごとに明るさの範囲、すなわち明るさの下限値を規定する例であるが、他の例として、色調ごとに明るさの範囲、すなわち明るさの下限値を規定するようにしてもよい。これは、光出力が同じであっても、光色（色温度）によってヒトの明るさの感じ方が違ってくるためである。一例として、電球色（色温度が約３０００Ｋ）の方がこれより色温度が高い白色（色温度が約４２００Ｋ）より暗く感じるというユーザの場合、色調が白色から電球色へ変化する図１０における期間ｔＥの明るさの下限値を色調が白色である期間ｔＤの明るさの下限値よりも高く設定しておくことができる。白色の方が電球色より暗く感じるというユーザの場合にはその逆としておくことがよい。つまり、色温度の高い色調の光を出力する時間帯の下限値よりも色温度の低い色調の光を出力する時間帯の下限値を高くすることで、エコセンサモードで制御中に、色調によって暗く感じるということを防止でき、快適な光環境とすることができる。
【０２７１】
なお、本例では、エコあかリズム（登録商標）モードにおいてエコセンサモードを適用した所定の時間帯において、照明部３０の光出力の下限値を設定する例について説明したが、エコセンサモードを実行し、エコあかリズム（登録商標）モードを使用しない場合であっても、所定の時間帯において照明部の光出力を予め定めた下限値以上となるようにしてもよい。
【０２７２】
＜タイマモード＞
次に、タイマモードについて説明する。
【０２７３】
タイマモードは、ユーザが設定した時刻等に基づいて照明装置１の点消灯動作を自動的に実行するモードである。
【０２７４】
本例においては、タイマモードについて、ユーザの操作指示に従って３つのタイマモードに設定することが可能である。具体的には、切タイマモードと、入タイマモードと、留守タイマモードについて説明する。
【０２７５】
図２６は、本発明の実施の形態に従うタイマモードのフローを説明する図である。
図２６を参照して、まず、いずれのタイマモードの指示があったかを判断する。具体的には、まず、ＣＰＵ２２は、「留守タイマ」ボタン６７の入力指示があったかどうかを判断する（ステップＳ２０）。ステップＳ２０において、ＣＰＵ２２は、リモコン５０に設けられた「留守タイマ」ボタン６７の押下に従って出力される留守タイマ制御指示が入力されたと判断した場合（ステップＳ２０においてＹＥＳ）には、留守タイマモードに移行する（ステップＳ２１）。留守タイマモードの詳細については後述する。
【０２７６】
一方、ステップＳ２０において、ＣＰＵ２２は、「留守タイマ」ボタン６７の入力指示が入力されていないと判断した場合（ステップＳ２０においてＮＯ）には、次に、ＣＰＵ２２は、入タイマ設定情報の入力が有ったかどうかを判断する（ステップＳ２２）。
【０２７７】
図２７は、本発明の実施の形態に従う入タイマ設定画面および切タイマ設定画面を説明する図である。
【０２７８】
ユーザが「入タイマ」ボタン７５を押下することにより、入タイマモードにおける入タイマ設定における動作を開始することが可能となる。具体的には、当該「入タイマ」ボタン７５を押下することにより図２７（Ａ）に示されるように入タイマ設定画面（図示せず）が液晶パネル５２に表示される。そして、入タイマ設定画面において、ユーザは、「ＵＰ」ボタン５７Ａおよび「ＤＯＷＮ」ボタン５７Ｂを用いて点灯時刻を設定することが可能である。そして、再度「入タイマ」ボタン７５を押下することにより入タイマ設定情報がリモコン５０から出力される。なお、入タイマ設定情報がリモコン５０から出力された場合には、液晶パネル５２に例えば「入タイマ」が表示されるものとする。すなわち、リモコン５０のメモリ８０には入タイマモードが開始されたことを示す情報が格納される。液晶パネル５２に例えば「入タイマ」が表示された後、再度、リモコン５０の「入タイマ」ボタン７５を押下した場合には、リモコン５０から入タイマ設定解除指示が出力される。ＣＰＵ２２は、リモコン５０からの入タイマ設定解除指示の入力が有った場合には入タイマモードを解除する。なお、入タイマ設定解除指示がリモコン５０から出力された場合には、液晶パネル５２に表示されていた「入タイマ」は非表示となるものとする。なお、他のモードと組み合わせて用いるようにすることも可能である。また、入タイマモードによる点灯制御が一度開始された場合にはデータがリセットされるように制御しても良いし、あるいは、データが保持されて点灯制御が繰り返し実行されるように制御するようにしても良い。
【０２７９】
また、同様に、ユーザが「切タイマ」ボタン７４を押下することにより、切タイマモードにおける切タイマ設定における動作を開始することが可能となる。具体的には、当該「切タイマ」ボタン７４を押下することにより図２７（Ｂ）に示されるように切タイマ設定画面が液晶パネル５２に表示される。そして、切タイマ設定画面において、ユーザは、「ＵＰ」ボタン５７Ａおよび「ＤＯＷＮ」ボタン５７Ｂを用いて消灯時刻を設定することが可能である。そして、再度「切タイマ」ボタン７４を押下することにより切タイマ設定情報がリモコン５０から出力される。なお、切タイマ設定情報がリモコン５０から出力された場合には、液晶パネル５２に例えば「切タイマ」が表示されるものとする。すなわち、リモコン５０のメモリ８０には切タイマモードが開始されたことを示す情報が格納される。液晶パネル５２に例えば「切タイマ」が表示された後、再度、リモコン５０の「切タイマ」ボタン７４を押下した場合には、リモコン５０から切タイマ設定解除指示が出力される。ＣＰＵ２２は、リモコン５０からの切タイマ設定解除指示の入力が有った場合には切タイマモードを解除する。なお、切タイマ設定解除指示がリモコン５０から出力された場合には、液晶パネル５２に表示されていた「切タイマ」は非表示となるものとする。なお、他のモードと組み合わせて用いるようにすることも可能であり、例えば、入タイマモードと組み合わせるようにすることも可能である。なお、入タイマモードと切タイマモードとを組み合わせた場合に設定時刻が重ならないようにすることも可能であるし、同じ時刻に設定することも可能である。同じ時刻に設定する場合にはいずれか一方のモードを優先させてもよいし、あるいは、両方のモードに従う処理を無効とするようにしても良い。また、切タイマモードによる消灯制御が一度開始された場合にはデータがリセットされるように制御しても良いし、あるいは、データが保持されて消灯制御が繰り返し実行されるように制御するようにしても良い。
【０２８０】
再び図２６を参照して、ステップＳ２２において、ＣＰＵ２２は、リモコン５０から入タイマ設定情報の入力がされ、後述するタイマ設定信号の受信が有ったと判断した場合（ステップＳ２２においてＹＥＳ）には入タイマモードにおける点灯時刻を設定する。当該処理により、ＣＰＵ２２は、入タイマモードにおける点灯時刻が設定された場合には、当該設定された時刻における照明部３０への点灯制御を実行する。例えば、設定時刻において、昼光色での全灯（調光率１００％）に設定する。ここで、設定時刻において既に点灯状態である場合であっても入タイマモードにおける点灯制御を実行することが可能である。
【０２８１】
なお、本例においては、入タイマモードによる設定時刻において、昼光色での全灯で点灯制御が実行されるが、これに限らず入タイマモードにおける調光率および色調をユーザが設定できるようにしてもよい。
【０２８２】
一方、ステップＳ２２において、リモコン５０から入タイマ設定情報の入力が無かったと判断した場合、すなわち、リモコンから切タイマ設定情報の入力がされ、後述するタイマ設定信号の受信が有った場合（ステップＳ２２においてＮＯ）には切タイマモードにおける消灯時刻を設定する。当該処理により、ＣＰＵ２２は、切タイマモードにおける消灯時刻が設定された場合には、当該設定された時刻における照明部３０への消灯制御を実行する。ここで、設定時刻において既に消灯状態である場合には、特に動作は実行されない。
【０２８３】
なお、タイマ設定信号とは、照明装置１本体のＣＰＵ２２に照明装置１本体が備えるタイマによる点灯／消灯等の制御を設定させるためのリモコン５０からの信号を指し、設定時刻を示す時間情報と、その設定時刻になるとＣＰＵ２２に照明部３０を点灯／消灯等の所定の照明状態に制御させる制御情報（後述の第２の制御情報と区別して第１の制御情報とも称する）とを含む。なお、時間情報として、「何時何分」という時刻を設定する他に、「何時間後」というカウントタイマを設定してもよい。
【０２８４】
次に、本発明の実施の形態に従う留守タイマモードについて説明する。
図２８は、本発明の実施の形態に従う留守タイマモードのフローを説明する図である。
【０２８５】
図２８を参照して、まず、ＣＰＵ２２は、留守タイマモードにおける点消灯動作を規定する留守タイマテーブルを設定する（ステップＳ９０）。具体的には、ＣＰＵ２２は、一例としてメモリ２９に予め格納されている留守タイマテーブルを参照する。
【０２８６】
図２９は、本発明の実施の形態に従う留守タイマターブルについて説明する図である。
図２９を参照して、本発明の実施の形態に従う留守タイマテーブルは、設定された時間帯における照明部３０の動作を規定するものである。ここでは、２つのパターンが示されており、１日目のパターンと、２日目のパターンが設けられている。
【０２８７】
１日目のパターンは、留守タイマ制御開始時刻として時刻１８：３０に明るさとして、調光率５０％、また色調として昼光色に設定する。なお、電球色の調光率は０％に設定する。また、切替時刻として時刻２１：００に明るさとして、調光率５０％、また色調として電球色に設定する。なお、昼光色の調光率は０％に設定する。さらに、消灯時刻として時刻２３：３０に消灯状態に設定する。具体的には、昼光色および電球色の調光率をともに０％に設定する。
【０２８８】
２日目のパターンは、時刻１８：００に明るさとして、調光率５０％、また色調として昼光色に設定する。なお、電球色の調光率は０％に設定する。また、時刻２０：３０に明るさとして、調光率５０％、また色調として電球色に設定する。なお、昼光色の調光率は０％に設定する。さらに、時刻２３：００に消灯状態に設定する。具体的には、昼光色および電球色の調光率をともに０％に設定する。
【０２８９】
なお、ここでは、２日間のパターンのみが一例として示されているが、さらに別のパターン（例えば３日目）を設けるようにすることも可能である。本例においては、例えば３日目の場合には、再び１日目のパターンを用いることとする。
【０２９０】
なお、上記留守タイマテーブルは、一例であり、設定されている時刻は、別の時刻とすることも可能であるし、さらに、明るさ、色調についても異なる状態に設定可能なようにしても良い。
【０２９１】
例えば、「留守タイマ」ボタン６７の入力指示に従って上記で説明した入タイマ設定画面あるいは切タイマ設定画面のような留守タイマ設定画面を表示させて、留守タイマ制御開始時刻や切替時刻、消灯時刻、調光率等を設定可能とするようにしても良い。あるいは、本例においては、留守タイマモードにおいて、色調を変化させる場合について説明するが、調光率のみ経時的に変化させるように設定可能とするようにしても良い。なお、設定に際して、本例においては、「ＵＰ」ボタン５７Ａおよび「ＤＯＷＮ」ボタン５７Ｂを用いて時刻を設定する場合について説明するが特に当該方式に限られず、例えば、当該ボタンが無い場合であっても例えば「留守タイマ」ボタン６７の押下回数に従って表示時刻がインクリメントされて時刻を設定可能とするようにしても良い。他の場合においても同様である。
【０２９２】
本例においては、１日目のパターンとして、単に昼光色を点灯して、消灯するのではなく、その後の所定時刻に別の色調である電球色に設定する。すなわち、複数の発光部である昼光色と電球色との調光率の比率を調整して色調を変化させる。それゆえ、単に点灯するのではなく、色調を変化させることにより、部屋の外部から見ても部屋の照明の変化がより認識し易くなる。例えば時間間隔を空けて照明装置１が設置された部屋の外部から観察を繰り返す犯罪者に対しても、色調の変化の瞬間を視認させなくとも部屋の明かりの色調が昼光色から電球色に変化したことを認識させられる。これにより、実際にユーザが照明の色調を変える操作をしているかのように装うことができ、ユーザが在宅しているようにさらに見せかけてより防犯性を高めることが可能である。
【０２９３】
また、留守タイマテーブルとして、複数のパターンを設けることにより連続して同じパ
ターンを用いるのではなく、動作が異なるパターンを用いることによりさらに防犯性を高めることが可能となる。
【０２９４】
また、ペット等を飼っている家などでは、飼い主であるユーザが留守の場合であっても留守タイマテーブルに従って点灯制御が実行されるため暗闇の中でユーザの帰宅を待つ必要は無く、ペット等に与えるストレスを軽減することも可能である。
【０２９５】
また、リモコン５０に設けられた「留守タイマ」ボタン６７を１タッチで押下することにより留守タイマモードに設定することが可能であるためタイマ設定の煩わしい操作が不要であり、ユーザビリティにも優れる。
【０２９６】
再び、図２８を参照して、次に、ＣＰＵ２２は、現在時刻を確認する（ステップＳ９１）。
【０２９７】
そして、次に、ＣＰＵ２２は、現在時刻は留守タイマ制御開始時刻であるかどうかを判断する（ステップＳ９２）。具体的には、例えば、現在時刻が例えば１日目のパターンの留守タイマ制御開始時刻である時刻１８：３０となったかどうかを判断する。
【０２９８】
ステップＳ９２において、ＣＰＵ２２は、現在時刻が留守タイマ制御開始時刻であると判断した場合（ステップＳ９２においてＹＥＳ）には、留守タイマ制御を開始する（ステップＳ９３）。例えば図２９の留守タイマテーブルに基づいて、まず、色調を昼光色として調光率５０％に設定し、そして、時刻２１：００に明るさとして、調光率５０％、また色調として電球色に設定する。さらに、時刻２３：３０に消灯状態に設定する。２日目については、２日目のパターンを用いて留守タイマ制御を実行する。
【０２９９】
そして、次に、ＣＰＵ２２は、ステップＳ９４において留守タイマ制御開始後、入力指示が有ったかどうかを判断する（ステップＳ９４）。
【０３００】
ステップＳ９４において、ＣＰＵ２２は、留守タイマ制御開始後、入力指示が有ったと判断した場合（ステップＳ９４においてＹＥＳ）には、留守タイマモードの設定を解除する（ステップＳ９８）。そして、処理を終了する（リターン）。
【０３０１】
一方、ステップＳ９２において、現在時刻が留守タイマ制御開始時刻でないと判断した場合（ステップＳ９２においてＹＥＳ）には、ＣＰＵ２２は、入力指示が有ったかどうかを判断する（ステップＳ９５）。
【０３０２】
ステップＳ９５において、ＣＰＵ２２は、入力指示が有ったと判断した場合（ステップＳ９５においてＹＥＳ）には、次に、留守タイマボタンの入力指示が有ったかどうかを判断する（ステップＳ９６）。
【０３０３】
ステップＳ９６において、ＣＰＵ２２は、入力指示が留守タイマボタンの入力指示であったと判断した場合（ステップＳ９６においてＹＥＳ）には、留守タイマモードの設定を解除する（ステップＳ９８）。
【０３０４】
一方、ステップＳ９６において、ＣＰＵ２２は、入力指示が留守タイマボタンの入力指示で無かったと判断した場合（ステップＳ９６においてＮＯ）、すなわち、それ以外の他のボタン操作に従う入力指示であると判断した場合には、他のボタン操作に従う通常処理を実行する（ステップＳ９７）。通常処理とは、例えば、リモコン５０の「全灯」ボタン５４を押下した場合には、ＣＰＵ２２は、全点灯制御指示の入力を受けて、ＰＷＭ制御回路２３に対して照明部３０への全点灯制御を開始するように指示するものとする。他のボタン操作についても同様である。
【０３０５】
そして、再び、ステップＳ９１に戻る。また、ステップＳ９５において、入力指示が無かったと判断した場合（ステップＳ９５においてＮＯ）には、ステップＳ９１に戻り、同様の処理を繰り返す。
【０３０６】
すなわち、本発明の実施の形態に従う留守タイマモードにおいては、現在時刻を確認し、現在時刻が留守タイマ制御開始時刻となった場合には、留守タイマテーブルに従う留守タイマ制御を開始することが可能となる。
【０３０７】
一方で、ＣＰＵ２２は、留守タイマ制御が開始されてから何らかの入力指示が有ったと判断した場合には留守タイマモードの設定を解除する。例えば、留守タイマ制御が開始されてからリモコン５０の「全灯」ボタン５４を押下した場合には、留守タイマモードの設定を解除する。なお、本例においては、留守タイマモードの設定の解除のみについて説明しているが、当該ボタン操作に従う処理を合わせて実行するようにしても良い。例えば、ＣＰＵ２２は、全点灯制御指示の入力を受けて、留守タイマモードの設定を解除するとともに、ＰＷＭ制御回路２３に対して照明部３０への全点灯制御を開始するように指示するようにしても良い。他のボタン操作についても同様である。また、リモコン５０のボタン操作に限られず、照明装置１の操作ＳＷ４２の操作についても同様に適用可能である。
【０３０８】
そして、留守タイマ制御開始時刻前に留守タイマ制御ボタンの入力指示が有った場合には留守タイマモードの設定を解除し、それ以外の他のボタン操作に従う入力指示がある場合には、留守タイマモードの設定を解除することなく、当該ボタン操作を優先した処理を実行する。
【０３０９】
当該処理により、例えば、留守タイマ制御が開始された後、ユーザが帰宅してリモコン５０を操作した場合には、帰宅したことが把握されるため留守タイマモードを終了して通常の処理を実行することが可能である。その際、留守タイマモードの設定／解除を指示するためのボタンである例えば、「留守タイマ」ボタン６７を再度押下しなくても他のボタン操作により留守タイマモードの設定を解除することができるためユーザの利便性に供する。いいかえるならば留守タイマ制御が開始された後、ユーザが帰宅する場合に、「留守タイマ」ボタン６７を再押下することでしか留守タイマモードの設定の解除ができないと、留守タイマモードの設定の解除（「留守タイマ」ボタン６７の再押下）のし忘れにより不意に色調が変化したり、あるいは不意に消灯状態となったりする可能性が考えられるが、他のボタン操作でも留守タイマモードの設定が解除されるように解除条件を緩くすることによりユーザの利便性が向上する。
【０３１０】
一方で、留守タイマ制御が開始される前に他のボタン操作でも留守タイマモードの設定が解除されるように解除条件を緩くするなら、ユーザの意図に反して留守タイマモードが解除される可能性が高くなり、ユーザの利便性が低下する。したがって、本発明の実施の形態に従う留守タイマモードにおける処理では、「留守タイマ」ボタン６７が押下されて留守タイマモードが設定された後であっても、留守タイマ制御が開始される前には、他のボタン操作によって留守タイマモードの設定が解除されず他のボタン操作に従う処理を優先させることによりユーザの利便性を向上させる。
【０３１１】
なお、本例においては、ＣＰＵ２２が留守タイマ制御が開始されてから何らかの入力指示があったと判断した場合に留守タイマモードの設定を解除しているが、留守タイマ制御開始後に、解除が有効な特定の操作を入力した場合にのみ留守タイマモードが解除されるようにしてもよい。具体的には、留守タイマ制御開始後に「全灯」等の照明装置１を点灯させる入力指示があった場合にのみ留守タイマ解除がされるようにしてもよい。つまり、「留守タイマ」ボタン６７以外の全ての入力指示によって留守タイマモードの解除がされる必要はなく、留守タイマモードの解除ができない入力指示が存在していてもよい。
【０３１２】
なお、留守タイマモードを設定した時刻が留守タイマ制御開始時刻よりも後であるような場合、例えば、ユーザが１９：００に「留守タイマ」ボタン６７を押下したような場合には、次の日の留守タイマ制御開始時刻から留守タイマ制御を開始するようにしても良いし、すぐに留守タイマテーブルに従って留守タイマ制御が実行されるようにしても良い。
【０３１３】
なお、上記においてはリモコン５０からの指示に従ってタイマモードの設定が解除される場合について説明したが、例えば、照明装置１の操作ＳＷ４２に含まれる電源スイッチのスイッチをオフにした場合においてもタイマモードの設定が解除されるようにしても良い。なお、留守タイマモードと他のモード、例えば、エコ調光モードと組み合わせるようにしても良い。
【０３１４】
なお、本例においては、「留守タイマ」ボタン６７が留守タイマモードの設定と解除の入力指示を兼ねている場合について説明したが、留守タイマモードの設定と解除の入力手段（例えばリモコンのボタン）を夫々別々に設け、留守タイマモード解除専用の入力手段にて留守タイマ制御開始前の解除を行なうようにしてもよい。
【０３１５】
なお、本例においては、メモリ２９に予め格納された留守タイマテーブルを用いて留守タイマモードを実行する場合について説明したが、例えば、留守タイマテーブルを自動学習により作成するようにして、当該作成した留守タイマテーブルを用いるようにしても良い。例えば、１週間（７日）単位における照明装置１の点消灯制御のタイミング等を記憶しておき平均値を算出して、留守タイマ制御開始時刻、切替時刻、消灯時刻を自動で設定するようにしても良い。あるいは、１週間（７日）単位における平日および休日の照明装置１の点消灯制御のタイミング等を記憶しておき、それぞれの平均値を算出して、平日の留守タイマ制御開始時刻、切替時刻、消灯時刻および休日の留守タイマ制御開始時刻、切替時刻、消灯時刻を自動で設定するようにしても良い。
【０３１６】
また、本例においては、留守タイマ制御の開始時刻はＣＰＵ２２が水晶発振子２７から発振される発振信号に従って計測した時刻に基づいて設定されているが、留守タイマ制御開始時刻の設定方法はこれに限らず留守タイマ制御開始までの時間をユーザが設定可能なカウントタイマを有する構成であってもよい。具体的には、ユーザが例えば３時間後に留守タイマ制御を開始するように設定して入力し、ユーザの入力から３時間後に留守タイマ制御が開始するようにすることで留守タイマ制御の開始時刻を設定してもよい。
【０３１７】
＜おやすみリズムモード＞
次に、おやすみリズムモードについて説明する。
【０３１８】
おやすみリズムモードでは、照明色を桃橙色となるよう調色して、現在の調光率を予め規定された就寝時の調光率まで減少させるよう制御するモードである。
【０３１９】
具体的には、ＣＰＵ２２は、リモコン５０に設けられた「おやすみリズム」ボタン６６の入力指示があった場合には、おやすみリズムモードを開始して、ＰＷＭ制御回路２３に対してＬＥＤモジュール３２，３５を現在の調光率と同じ調光率で発光させると共に、これらの調光率が設定された就寝時の調光率となるようにＰＷＭパルスＳ２あるいはＳ３を徐々に調整するように指示する。
【０３２０】
「桃橙色」は、電球色ＬＥＤであるＬＥＤモジュール３２と赤色ＬＥＤであるＬＥＤモジュール３５とをそれぞれ所定の調光率で発光させることによって調色される色である。ここで、「桃橙色」はヒトの眠りに効果的な照明色であって、日本工業規格（ＪＩＳ規格）で規定される光源色の系統色名（ＪＩＳ  Ｚ  ８１１０）のうちの「オレンジピンク」と規定される色に相当する。
【０３２１】
この「桃橙色」がヒトの眠りに効果的であることを実証するための第１の実験としての、照明色の色温度を変化させてその主観評価を得る実験について説明する。
【０３２２】
第１の実験は、２０代〜４０代の女性４人および男性１０人に対して行なわれた。詳しくは、２グループに分けて、同じ部屋で、色温度を７０００〜１５００［Ｋ］で変化させ、さらに、各色温度において黒体輻射軌跡からのずれである偏差を０〜−０．０２で変化させた照明条件にて照明を行なった。そして、照射後に、快適（５）・不快（１）、眠気を催す（５）・眠気がない（１）、およびくつろげる（５）・くつろげない（１）の各項目を点数評価させた。各項目の点数を統計することで、これら被験者による主観的評価を得た。
【０３２３】
図３０〜図３２は、第１の実験での結果を表わした図であり、図３０は色温度および偏差ごとの眠気に関する評価結果、図３１は不快感に関する評価結果、および図３２はくつろぎに関する評価結果を表わしている。これら各項目において、評価結果として、得られた点数の平均点を算出して示している。
【０３２４】
特に図３０の結果より、基準を３．５以上とすると、色温度２２５０〜１７５０［Ｋ］であり、かつ、偏差が−０．０１〜−０．０２の照明条件において眠気を催すとの主観評価が高いことが分かった。また、図３１および図３２の結果より、その照明条件では、不快感も低く、かつ、くつろぎ度合いも低くはないことが分かった。すなわち、上記色温度、偏差による照明が、眠気に関して効果があると考察される。
【０３２５】
さらに、第２の実験としての、就寝時の照明条件を２種類の条件として照明下での睡眠評価を得る実験について説明する。
【０３２６】
第２の実験は、睡眠の質を評価するための１８項目から構成される自記式質問票であるピッツバーグ睡眠質問票（ＰＳＱＩ：Pittsburgh  Sleep  Quality  Index）にて睡眠障害の基準である５点以上を示す、２０歳以上６５歳以下の男性１１名に対して行なわれた。詳しくは、１室ごとに被験者を待機させてすべての被験者の環境状態を同じとして、就寝前１時間から就寝時まで２種類の照明条件で照射し、その後の睡眠状態を測定した。
【０３２７】
睡眠状態の測定にはパラマウントベッド株式会社製の睡眠測定システム「眠りＳＣＡＮ（登録商標）」を用い、「眠りＳＣＡＮ（登録商標）」をベッドの下に敷いて就寝中の各被験者の活動量を測定した。そして、その活動量より各被験者の入眠潜時、睡眠効率、および総睡眠時間を算出した。
【０３２８】
上記２種類の照明条件として、条件Ａは、通常の照明状態である、色温度約４０００［Ｋ］の白色光のみでベッドの枕位置の照度を３５Ｗ相当（約８５［ｌｘ］）とする照明であり、条件Ｂは、上記第１の実験で眠気を催すとの高い主観評価が得られた色温度２２５０〜１７５０［Ｋ］、かつ、偏差が−０．０１〜−０．０２に含まれる、色座標（ｘ、ｙ）＝（０．４９９、０．３８２）の色であり、ベッドの枕位置の照度を３５Ｗ相当（約４５［ｌｘ］）とする照明状態である。照明条件Ｂの照明色は、日本工業規格（ＪＩＳ規格）で規定される光源色の系統色名（ＪＩＳ  Ｚ  ８１１０）のうちの「オレンジピンク」と規定される色に相当する。
【０３２９】
図３３〜図３５は第２の実験での結果を表わした図であり、図３３は照明条件Ａ，Ｂそれぞれでの就寝から入眠までの入眠時間の評価結果、図３４はベッドに入っている時間に対して実際に眠っている時間の割合である睡眠効率の評価結果、および図３５は総睡眠時間の評価結果を表わしている。
【０３３０】
図３３〜図３５に示された結果より、通常の照明状態である照明条件Ａと比較して、上記第１の実験で眠気に関して効果があると考察された照明条件Ｂの方が、入眠潜時が短く、睡眠効率が高く、かつ、総睡眠時間が長いことが分かる。すなわち、第２の実験の結果から、色座標（ｘ、ｙ）＝（０．４９９、０．３８２）の照明色とする照明条件が、睡眠に関して優位な効果があると考察される。
【０３３１】
そして、これらの実験結果に基づいた照明色がユーザに不快感なく快い眠気を催させることができるものと考察された。
【０３３２】
「Ｊｏｕｒｎａｌ  ｏｆ  ｔｈｅ  ＯＰＴＩＣＡＬ  ＳＯＣＩＥＴＹ  ｏｆ  ＡＭＥＲＣＡ  （Ｖｏｌｕｍｅ  ３２，  ＮＵＭＢＥＲ  ５）」（１９４２年５月発行）掲載の、ＤＡＶＩＤ  Ｌ．  ＭＡＣＡＤＡＭによる論文「Ｖｉｓｕａｌ  Ｓｅｎｓｉｔｉｖｉｔｉｅｓ  ｔｏ  Ｃｏｌｏｒ  Ｄｉｆｆｅｒｅｎｃｅｄ  ｉｎ  Ｄａｙｌｉｇｈｔ」中において、視覚の等色実験から導き出された、色度図上のある一点を選んだ時にその色と区別できない範囲が発表されている。この範囲は、特定の中心色に対する識別変動の標準偏差をｘｙ色度図に表わすと楕円となることが発表されており、この範囲は、マクアダム楕円１−Ｓｔｅｐとも呼ばれている。
【０３３３】
マクアダム楕円１−Ｓｔｅｐに対して、工業的には、ＩＥＣ（国際電機標準会議）の５−Ｓｔｅｐや、ＡＮＳＩ（米国標準協会）の７−Ｓｔｅｐが規格として「等色」として認められ、商品とすることが許されている。マクアダム楕円５−Ｓｔｅｐは、その楕円の短辺および長辺それぞれの長さが、マクアダム楕円１−Ｓｔｅｐにおけるそれぞれに対して５倍となる関係を有している。
【０３３４】
なお、「ＩＥＣの５−Ｓｔｅｐ」のマクアダムについては、ウェブサイト（http://www.lrc.rpi.edu/programs/nlpip/lightinganswers/lightsources/whatisColorConsistency.asp）の中盤に、「The  International  Electrotechnical  Commission   (IEC)  standard  (IEC  2002)  specifies  six,  5-step  MacAdam  ellipses  as  color  consistency  criteria  for  double-capped  fluorescent  lamps.」とあり、国際電気標準会議（ＩＥＣ）標準（ＩＥＣ  ２００２）で認められていることが記載されている。
【０３３５】
また、「ＡＮＳＩの７−Ｓｔｅｐ」マクアダムについては、米国標準協会による「ＡＮＳＩ＿ＮＥＭＡ＿ＡＮＳＬＧ  Ｃ７８．３７７−２００８」（Ａｍｅｒｉｃａｎ  Ｎａｔｉｏｎａｌ  Ｓｔａｎｄａｒｄ  ｆｏｒ  ｅｌｅｃｔｒｉｃ  ｌａｍｐｓ−Ｓｐｅｃｉｆｉｃａｔｉｏｎｓ  ｆｏｒ  ｔｈｅ  Ｃｈｒｏｍａｔｉｃｉｔｙ  ｏｆ  Ｓｏｌｉｄ  Ｓｔａｔｅ  Ｌｉｇｈｔｉｎｇ  Ｐｒｏｄｕｃｔｓ）の１４ページに表わされたＳＳＬ製品の仕様のグラフ図である図Ａ１で示されている。
【０３３６】
そこで、一例として、おやすみリズムモードでの照明色として、上記実験で得られた照明条件に対してマクアダム楕円５−Ｓｔｅｐで表わされる範囲を適用させるものとした。
【０３３７】
図３６は、上記第１の実験で得られた照明条件である、色温度２２５０〜１７５０［Ｋ］、かつ、偏差が−０．０１〜−０．０２の照明色の等色範囲を得るために、色温度１７５０［Ｋ］かつ偏差−０．０１の色の色座標系上の点を点Ａ、色温度１７５０［Ｋ］かつ偏差−０．０２の色の色座標系上の点を点Ｂ、色温度２２５０［Ｋ］かつ偏差−０．０２の色の色座標系上の点を点Ｃ、および色温度２２５０［Ｋ］かつ偏差−０．０１の色の色座標系上の点を点Ｄとして、それぞれの点のマクアダム楕円５−Ｓｔｅｐで表わされる等色範囲を表わした図である。
【０３３８】
さらに、図３６において、点線で、これら点Ａ〜点Ｄを表わす楕円の外接する包絡線が表わされている。この曲線内の領域が、上記第１の実験で睡眠に優位な効果があると得られた照明条件を指すといえる。
【０３３９】
従って、おやすみリズムモードにおいて、「桃橙色」に相当する、図３６において点線で表わされた範囲の照明色となるよう調光する。
【０３４０】
参考のために、上記第２の実験で照明条件Ｂとして用いた色座標（ｘ、ｙ）＝（０．４９９、０．３８２）の色についても、点Ｅとして、同様にマクアダム楕円５−Ｓｔｅｐで表わされる等色範囲が図３６に表わされている。図３６を参照して、点Ｅを表わす楕円は点線の曲線内に含まれていることが分かり、このことより、上記第２の実験で照明条件Ｂとして用いられた照明色もまた、第１の実験の結果より、睡眠に優位な効果があることが分かる。
【０３４１】
なお、電球色ＬＥＤの色温度は２６００〜３１５０［Ｋ］と６００［Ｋ］程度の色温度のばらつきがあり、偏差も＋０．０２〜−０．０２までのばらつきがあることが知られている。また、赤色ＬＥＤのドミナント波長も６２０〜６４５ｎｍと範囲がある。
【０３４２】
図３７は、これらＬＥＤを用いて色座標（ｘ、ｙ）＝（０．４９９、０．３８２）の色の照射光とした場合のばらつきを、図３６の点Ａ〜点Ｅの等色範囲に重ねて太線で描画した図である。図３７を参照して、色座標（ｘ、ｙ）＝（０．４９９、０．３８２）の色の照射光とした場合のばらつきは、上記第２の実験で照明条件Ｂとして用いた色座標（ｘ、ｙ）＝（０．４９９、０．３８２）の等色範囲にほぼ重なることが分かる。つまり、図３７より、通常の電球色ＬＥＤおよび赤色ＬＥＤであるＬＥＤモジュール３２，３５を用いても、図３６において点線で表わされた範囲とする照明色が得られることが分かる。
【０３４３】
なお、上述の「桃橙色」は電球色ＬＥＤおよび赤色ＬＥＤであるＬＥＤモジュール３２，３５を各々所定の調光率で点灯させることで調色される色であるものとしているが、さらに、昼光色ＬＥＤであるＬＥＤモジュール３１を所定の調光率で発光させてもよい。このいずれの色とするかは、予め規定されていてもよいし、ユーザによって選択されてもよい。
【０３４４】
当該機能を用いることにより、調光率を徐々に調整して暗くすることによりヒトの覚醒度を下げ、ヒトの生体リズムと関係のあるメラトニン分泌の上昇を促してスムーズな入眠を促進することが可能である。
【０３４５】
さらに、その際に「桃橙色」の照明が実現されることで、上記第１の実験および第２の実験でも実証されたように、ユーザに心地よい眠気を催させることができ、良質な睡眠を促すことができる。
【０３４６】
なお、上述のエコあかリズム（登録商標）モードにおやすみリズムモードが含まれてもよい。図１０の例では、就寝時刻１時間半前から就寝時刻１時間後までの期間ｔＦのうち、調光率および色調が１段階目に変化する就寝時刻１時間半前から就寝時刻までの間の期間が、おやすみリズムモードでの制御に相当する例が示されている。
【０３４７】
＜その他処理＞
なお、その他の処理としてリモコン５０からの入力指示に従って各種機能を実行することが可能である。
【０３４８】
例えば、ユーザは、リモコン５０の「時計設定」ボタン６８を押下することにより照明装置１における現在時刻を設定することが可能となる。
【０３４９】
具体例として、エコあかリズム（登録商標）設定モードにおけるリモコン５０での動作について説明する。
【０３５０】
エコあかリズム（登録商標）設定モードでは、「エコあかリズム（登録商標）設定」ボタン６２が押下されたことに従ってリモコン５０のＣＰＵ８６がメモリ８０に格納されたプログラムを読み出して実行することで、液晶パネル５２に図１４、図１５の画面が順に表示される。この画面に従ってユーザから順に設定を受け付け、入力された内容がメモリ８０に一時的に記憶されていく。そして、最後に「エコあかリズム（登録商標）設定」ボタン６２が再度押下されたことに従って、ＣＰＵ８６はメモリ８０に一時的に記憶されたすべての設定内容を読み出して、照明装置１に対して出力する。
【０３５１】
図３８は、本発明の実施の形態に従うエコあかリズム（登録商標）設定の、リモコン５０側でのフローを説明する図である。
【０３５２】
当該フローは、「エコあかリズム（登録商標）設定」ボタン６２が押下されたことに従ってリモコン５０のＣＰＵ８６がメモリ８０に格納されたプログラムを読み込むことにより実行されるものとする。
【０３５３】
エコあかリズム（登録商標）設定では、一例として、３種類のパターン（以下、「エコあかリズム（登録商標）パターン」とも称する）が選択できるものとする。パターン１、２はユーザが時刻等の設定が可能なパターンであり、パターン３はユーザによる設定変更が不可能なパターンとする。そして、エコあかリズム（登録商標）設定では、まず最初にパターン１〜３のいずれかを選択することになる。
【０３５４】
図３８を参照して、「エコあかリズム（登録商標）設定」ボタン６２が押下されるとＣＰＵ８６は液晶パネル５２に図１４（Ａ）のエコあかリズム（登録商標）パターン情報の入力画面を表示して、エコあかリズム（登録商標）パターン情報の入力を待機する（ステップＳ１１１０）。エコあかリズム（登録商標）パターン情報の入力があると判断した場合（ステップＳ１１１０においてＹＥＳ）には、ＣＰＵ８６は入力された内容に従ってエコあかリズム（登録商標）パターン情報をメモリ８０の所定領域に一時的に記憶する（ステップＳ１１１２）。そして次に、ＣＰＵ８６は液晶パネル５２に図１４（Ｂ）の起床時刻情報の入力画面を表示して、起床時刻情報の入力を待機する（ステップＳ１１２０）。
【０３５５】
起床時刻情報の入力があると判断した場合（ステップＳ１１２０においてＹＥＳ）には、ＣＰＵ８６は入力された内容に従って起床時刻をメモリ８０の所定領域に一時的に記憶する（ステップＳ１１２２）。このとき、ＣＰＵ８６は、起床時刻情報に起床時刻であることを表わす識別子を付加する。そして、次に、ＣＰＵ８６は液晶パネル５２に図１４（Ｃ）の夕食時刻情報の入力画面を表示して、夕食時刻情報の入力を待機する（ステップＳ１１２４）。
【０３５６】
夕食時刻情報の入力があると判断した場合（ステップＳ１１２４においてＹＥＳ）、ＣＰＵ８６は、入力された内容に従って夕食時刻をメモリ８０の所定領域に一時的に記憶する（ステップＳ１１２６）。このとき、ＣＰＵ８６は、夕食時刻情報に夕食時刻であることを表わす識別子を付加する。そして、次に、ＣＰＵ８６は液晶パネル５２に図１４（Ｄ）の就寝時刻情報の入力画面を表示して、就寝時刻情報の入力を待機する（ステップＳ１１２８）。
【０３５７】
就寝時刻情報の入力があると判断した場合（ステップＳ１１２８においてＹＥＳ）、ＣＰＵ８６は、入力された内容に従って就寝時刻をメモリ８０の所定領域に一時的に記憶する（ステップＳ１１３０）。このとき、ＣＰＵ８６は、就寝時刻情報に就寝時刻であることを表わす識別子を付加する。そして、次に、ＣＰＵ８６は液晶パネル５２に図１５（Ａ）の就寝時の調色率情報の入力画面を表示して、就寝時の調色率情報の入力を待機する（ステップＳ１１３４）。
【０３５８】
就寝時の調色率情報の入力があると判断した場合（ステップＳ１１３４においてＹＥＳ）、ＣＰＵ８６は、入力された内容に従って就寝時の調色率をメモリ８０の所定領域に一時的に記憶する（ステップＳ１１３６）。このとき、ＣＰＵ８６は、就寝時の調色率情報に就寝時の調色率であることを表わす識別子を付加する。
【０３５９】
そして、次に、ＣＰＵ８６は液晶パネル５２に図１５（Ｂ）の就寝時の調光率情報の入力画面を表示して就寝時の調光率情報の入力を待機する（ステップＳ１１３４）。
【０３６０】
就寝時の調光率情報の入力があると判断した場合（ステップＳ１１３４においてＹＥＳ）、ＣＰＵ８６は、入力された内容に従って就寝時の調光率をメモリ８０の所定領域に一時的に記憶する（ステップＳ１１３６）。このとき、ＣＰＵ８６は、就寝時の調光率情報に就寝時の調光率であることを表わす識別子を付加する。
【０３６１】
そして、次に、ＣＰＵ８６は液晶パネル５２に図１５（Ｃ）の深夜調光率情報の入力画面を表示して深夜調光率情報の入力を待機する（ステップＳ１１３８）。
【０３６２】
深夜調光率情報の入力があると判断した場合（ステップＳ１１３８においてＹＥＳ）、ＣＰＵ８６は、入力された内容に従って深夜調光率をメモリ８０の所定領域に一時的に記憶する（ステップＳ１１４０）。このとき、ＣＰＵ８６は、深夜調光率情報に深夜調光率であることを表わす識別子を付加する。
【０３６３】
その後、「エコあかリズム（登録商標）設定」ボタン６２が再度押下されると（ステップＳ１１４２においてＹＥＳ）、ＣＰＵ８６は、上記ステップＳ１１２２，Ｓ１１２６，Ｓ１１３０，Ｓ１１３６，Ｓ１１４０でメモリ８０の所定領域に識別子を付加して一時的に記憶した、ユーザによる入力情報を読み出して、それらをまとめて照明装置１に対して出力する（ステップＳ１１４４）。
【０３６４】
ここでは、たとえば各項目の識別子を上記の順に「１」「２」…とすると、「１０６３０，２１８３０，…」のように、識別子を付加した入力情報を一連のデータとして照明装置１に対して出力する。
【０３６５】
エコあかリズム（登録商標）設定におけるリモコンからの一連のデータには、エコあかリズム（登録商標）パターン、起床時刻、夕食時刻、就寝時刻、就寝時の調色率、就寝時の調光率、深夜調光率の情報に加え、最後にリモコン５０と本体である照明装置１との時刻の同期をとるために現在時刻である「時、分、秒」のデータが含まれてもよい。もちろん、リモコン５０と本体との時刻情報の同期を予めとっておくことで、エコあかリズム（登録商標）設定用の信号に現在時刻データを含めないようにしてもよい。
【０３６６】
照明装置１では、予め、リモコン５０からのデータ間隔を設定しておき、１データ受信完了後、所定時間間隔内に次のデータ受信が完了しない場合には、一連のデータの内容を破棄するものとする。そのため、リモコン５０は、上記データ間隔を予め記憶しておき、その間隔内で連続して上記各項目の情報を照明装置１に対して送信する。
【０３６７】
また、照明装置１では、予め、各項目の識別子と入力順とを記憶しておき、その順でデータが送信されていない場合には、一連のデータの内容を破棄するものとする。上の例の場合、「１」「２」…の順に識別子の付加されたデータでない場合に、たとえ上記データ間隔で受信された一連のデータであってもそのデータの内容を破棄する。
【０３６８】
もちろん、所定時間間隔内に一連のデータの受信が完了したことと、規定された順で識別子の付加されたデータが受信されたこととのいずれか一方が満たされることで、受信されたデータを一連のデータとして取り扱うようにしてもよい。
【０３６９】
上述のように、予め規定された時間間隔内に一連のデータが本体で受信された場合にのみ受信したデータを一連のデータとして取り扱ってエコあかリズム（登録商標）設定を行なうようにすることで、ユーザが設定した情報のうちの一部のデータを正しく設定できないという不具合を防止できる。具体的には、例えば、リモコン信号を送信している途中にリモコン５０を照明装置１に向けずに、照明装置１の赤外線受光部４１がリモコン信号に含まれる調光率や時刻情報等のデータを受信できない場合、たとえ他の一部のデータを受信できたとしても受信した当該一部のデータを破棄することで、調光率が更新されず前回設定時の調光率になったり、リモコン５０側の時刻と本体側の時刻とがずれるなどにより、エコあかリズム（登録商標）設定が不完全な状態で完了する、という不具合を防止することができる。
【０３７０】
なお、予め規定された時間間隔内に一連のデータが本体で受信されたかどうかの判定方法の一例としては、エコあかリズム（登録商標）設定における一連のデータのうち最初のデータと最後のデータとに対し、本体側が最初のデータと最後のデータとであることがわかる識別子を付けることで、最初のデータを受信してから予め規定された時間間隔内で最後のデータまで受信できた場合、エコあかリズム（登録商標）設定を完了し、上記時間間隔内で受信しなかった場合、それまで受信したデータを破棄する方法が挙げられる。
【０３７１】
なお、判定方法はこれに限らない。識別子を付ける方法の他にも、最初のデータと最後のデータとの内容を本体が予め記憶しておく方法であってもよいし、一連のデータの最後に最後であることを示すデータ（例えば設定完了信号など）を含めてもよい。
【０３７２】
また、受信が時間間隔内で正常に完了した場合のみ報知音（ブザーなど）を鳴らすことで、一連のデータを正確に受信できたことをユーザに報知するようにしてもよい。ユーザへの他の報知方法としては、受信したデータを破棄する場合には正常に受信完了した時の報知音とは異なるエラー音などを鳴らす方法などでもよく、特に限定されない。
【０３７３】
なお、予め規定した時間間隔内に受信したと判定した場合であっても、最初のデータと最後のデータとの受信間隔を判定するのみでは、確実にすべての一連のデータを受信できたことを判定できない場合がある。例えば、照明装置１に向けてリモコン信号を送信している途中に一瞬だけリモコンの向きを変えるなどした場合、最初のデータと最後のデータとが受信ができても、途中のデータを受信できずに当該途中のデータが設定できない場合がある。これを防止するため、本体側が一連のデータにそれぞれ付加された識別子の順序まで記憶し、その順序で受信し、かつ時間間隔内に一連のデータの受信を完了したときにエコあかリズム（登録商標）設定することでより正確にユーザが意図した通りのエコあかリズム（登録商標）設定を完了することができるようになる。
【０３７４】
一方、上述のように、規定された順序で識別子が付加されたデータが受信されたことのみを条件として一連のデータがすべて受信されたと判定する場合、規定された順序で、かつ設定信号に含まれるすべての識別子を受信した時点でエコあかリズム（登録商標）設定を完了することで、例えば途中のデータが受信できない場合に受信したデータを破棄し、報知音等でユーザに設定が正常に完了しなかったことを認識させることが可能となる。
【０３７５】
これら条件を満たしたデータを受信した照明装置１では、一連のデータとして受信した情報を用いて図１６に表わされたフローを実行することで、各情報が設定される。
【０３７６】
当該動作により、光環境制御モードにおけるエコあかリズム（登録商標）設定情報である起床時刻情報、夕食時刻情報、就寝時刻情報、就寝時の調色率情報、就寝時の調光率情報および深夜調光率情報が、リモコン５０から照明装置１に一連のデータとして送信されることになる。
【０３７７】
これは、たとえば取扱説明書等を読みながら、照明装置１とは離れた位置でリモコン５０を操作して各項目の設定をした後に、照明装置１にリモコン５０を向けて設定した各情報を一括して送信する、というユーザ操作が想定される。
【０３７８】
このとき、設定項目ごとに情報入力が完了するたびにリモコン５０から照明装置１に対して情報が送信されるとすると、たとえば上述のように照明装置１から離れた位置でリモコン５０の操作を行なっている場合や照明装置１の方向を向かないで操作を行なっている場合に、その都度、照明装置１にリモコン５０を向ける必要があり、操作性が落ちる場合がある。また、複数の項目のうちのいずれかの項目の送信が成功しない場合もあり、その場合に、続く項目の入力内容と設定内容とがずれてしまう、という場合もある。
【０３７９】
しかしながら、本実施の形態にかかるリモコン５０では上のように一連のデータとして送信することにより、ユーザの操作性を格段に向上させることができると共に、正確に、各項目に入力内容が設定されることになる。
【０３８０】
また、他の例として、上の例では照明装置１のメモリ２９にエコあかリズム（登録商標）設定や入タイマ設定や切タイマ設定や留守タイマ設定にて設定された図２９のようなタイマテーブルが記憶されており、ＣＰＵ２２が読み出して水晶発振子２７から得られる時刻情報に基づいて調光、調色を行なうものとしているが、リモコン５０にて行なうようにしてもよい。すなわち、図２９のようなタイマテーブルをリモコン５０のメモリ８０に記憶しておき、リモコン５０のＣＰＵ８６がそのテーブルを読み出して、常夜灯、消灯、全灯、明るさ／色の変更などの照明光の出力を変更させるタイミングでタイマアップ信号として照明装置１に対して制御信号を出力するようにしてもよい。リモコン５０からの制御信号によって実行される「エコあかリズム（登録商標）」や「入タイマ」「切タイマ」「おやすみリズム」等のモードを「タイマ制御モード」とも称する。すなわち、メモリ８０に記憶されたタイマテーブルに基づいて、例えば入タイマモードにおいては、タイマ設定された全灯時刻となるとタイムアップ信号としての全灯信号を照明装置１に送信し、切タイマモードにおいては、消灯時刻となるとタイムアップ信号としての消灯信号を照明装置１に送信する。タイムアップ信号は、タイマ制御モードの設定後、設定時間になった時点で自動的にリモコン５０から照明装置１に向けて送信される点灯／消灯等の制御信号を指すものであり、照明装置１の照明部３０を所定の照明状態に制御させる制御情報（先述の第１の制御情報と区別して第２の制御情報とも称する）を含む。
【０３８１】
タイマ制御モードの一例として、入タイマモードにおいては、まず入タイマ設定をした時点（「入タイマ」ボタン７５を押した時点）で、設定時刻を示す時間情報と照明装置１の水晶発振子２７に基づき上記設定時刻になると点灯（全点灯）を指示する第１の制御情報とを含むタイマ設定信号を、リモコン５０から照明装置１に対して送信する。また、リモコン５０の水晶発振子８５で得られる時刻が設定時間になった時点で、点灯（全点灯）を指示する第２の制御情報を含むタイムアップ信号をリモコン５０から照明装置１に対して送信する。
【０３８２】
リモコン５０のＣＰＵ８６は、タイマテーブルに基づく制御信号（タイムアップ信号）であるか、ユーザが全点灯ボタン５４などを押下したことに基づく制御信号であるかを区別して制御信号を照明装置１に対して出力する。すなわち、タイマテーブルに基づいて全灯時刻となったために送信される全灯信号であるのか、ユーザが全点灯ボタン５４を押下したために送信される全灯信号であるのか、を区別して制御信号を出力する。
【０３８３】
一例として、ＣＰＵ８６は、タイマテーブルに基づいて制御信号を出力する際にはタイマテーブルに基づく制御信号であることを表わすタイマフラグを立てて、第２の情報として照明装置１に照明部を所定の照明状態に制御させるための制御信号を出力し、消灯ボタン５３や全点灯ボタン５４などの操作スイッチ８８での操作に基づいて制御信号を出力する際にはタイマフラグを立てずに制御信号を出力するようにしてもよい。
【０３８４】
図３９は、本発明の実施の形態に従うリモコン５０でのコマンド送信処理を説明するフロー図である。
【０３８５】
当該フローは、ＣＰＵ８６がメモリ８０に格納されたプログラムを読み込むことにより実行されるものとする。
【０３８６】
図３９を参照して、リモコン５０のＣＰＵ８６は、水晶発振子２７から得られる時刻情報に基づいてタイマテーブルに設定された時刻であることが検出されると（ステップＳ２００においてＹＥＳ）、送信データとして、設定された照明状態とさせるための上記第２の制御情報である制御用コマンド（全灯信号等）と共に、タイマフラグをＯＮしたタイムアップ信号を照明装置１に対して出力する（ステップＳ２０２）。
【０３８７】
一方、タイマテーブルに設定された時刻ではなく、操作スイッチ８８で照明状態を変化させるスイッチ（全点灯ボタン５４等）が押下された場合（ステップＳ２０４においてＹＥＳ）、ＣＰＵ８６は、送信データとして、設定された照明状態とさせるための制御用コマンド（全灯信号等）と共に、タイマフラグをＯＦＦとして照明装置１に対して出力する（ステップＳ２０６）。
【０３８８】
ＣＰＵ８６は以上の動作を繰り返すことで、タイマ設定されたために送信する制御信号（タイムアップ信号）か操作スイッチ８８が操作されたことによって送信する制御信号かを区別して制御信号を照明装置１に対して送信する。
【０３８９】
この制御信号を受信することで、照明装置１では、フラグに応じたコマンド受信処理を行なうことができる。一例として、照明装置１のＣＰＵ２２は、リモコン５０からの消灯信号のタイマフラグがＯＮであるときには消灯させると共にブザー音を鳴らし、タイマフラグがＯＦＦであるときには消灯させる際にブザー音を鳴らさないようにすることができる。
【０３９０】
これは、たとえばユーザが就寝後にタイマで消灯時刻が設定されている場合など、就寝後にブザー音が鳴らないように設定しておくことで、ユーザの動作（睡眠等）の妨げないようにすることができる。
【０３９１】
全灯信号の場合、一例として、図４０のようなコマンド受信処理を行なうようにしてもよい。すなわち、図４０は、本発明の実施の形態に従う照明装置１でのコマンド受信処理を説明するフロー図である。
【０３９２】
図４０を参照して、リモコン５０からの全灯信号のタイマフラグがＯＦＦであった場合（ステップＳ３００においてＮＯ）、つまり、全点灯ボタン５４が押されたことによる制御信号である場合、照明装置１のＣＰＵ２２は、現在の動作モードがエコセンサモードである場合に（ステップＳ３０２においてＹＥＳ）、エコセンサモードをＯＦＦとした上で全点灯とする（ステップＳ３０４）。
【０３９３】
一方、動作モード中ではなく現在消灯中である場合には（ステップＳ３０２においてＮＯかつステップＳ３０６においてＹＥＳ）、ＣＰＵ２２は全点灯とし（ステップＳ３０８）、点灯中である場合には（ステップＳ３０２においてＮＯかつステップＳ３０６においてＮＯ）、ＣＰＵ２２は照明状態を全点灯とする。
【０３９４】
リモコン５０からの全灯信号のタイマフラグがＯＮであった場合には（ステップＳ３００においてＹＥＳ）、つまり、タイマ設定された時刻に基づく制御信号（タイムアップ信号）である場合、照明装置１のＣＰＵ２２は、現在の動作モードがエコセンサモードである場合に（ステップＳ３１０においてＹＥＳ）、エコセンサモードをＯＮに維持したままで全点灯とする（ステップＳ３１２）。これは、他のタイマモードも同様である。
【０３９５】
一方、動作モード中ではなく現在消灯中である場合には（ステップＳ３１０においてＮＯかつステップＳ３１４においてＹＥＳ）、ＣＰＵ２２は全点灯とし（ステップＳ３１６）、点灯中である場合には（ステップＳ３１０においてＮＯかつステップＳ３１４においてＮＯ）、ＣＰＵ２２は照明状態を変化させずに現在の状態を維持する。
【０３９６】
照明装置１のＣＰＵ２２がこのような処理を行なうことで、ユーザの意志を反映した操作スイッチ８８での操作に基づく制御信号を優先して照明状態を制御することができる。
【０３９７】
さらに他の例として、照明装置１のメモリ２９とリモコン５０のメモリ８０との双方にタイマテーブルが記憶されていてもよい。
【０３９８】
図４１は、この場合の、本発明の実施の形態に従う照明装置１でのコマンド受信処理を説明するフロー図である。
【０３９９】
図４１を参照して、リモコン５０からの制御信号が現在の照明状態を変化させるような制御信号である場合であって（ステップＳ３２０においてＹＥＳ）、そのタイマフラグがＯＦＦである場合（ステップＳ３２２においてＹＥＳ）、照明装置１のＣＰＵ２２は、その制御コマンドに従って照明装置１の照明状態を制御する（ステップＳ３２４）。
【０４００】
一方、リモコン５０からの制御信号のタイマフラグがＯＮであり、かつ、先のタイマフラグＯＮの制御信号、つまり、照明装置１本体のタイマに基づくタイムアップ時に照明装置１自身が出力する制御信号を受信してから所定時間内に受信した制御信号である場合（ステップＳ３２２においてＮＯかつステップＳ３２６においてＹＥＳ）、ＣＰＵ２２はその制御コマンドを無視して、現在の照明状態を維持させる（ステップＳ３２８）。なお、先のタイマフラグＯＮの制御信号の受信から上記所定時間以上が経過して受信した制御信号である場合には（ステップＳ３２６においてＮＯ）、ＣＰＵ２２はその制御コマンドに従って照明装置１の照明状態を制御する（ステップＳ３２４）。照明装置１本体のタイマに基づくタイムアップ時に照明装置１自身が出力する制御信号は、リモコン５０から送信されるタイマ設定信号により照明装置１本体のＣＰＵ２２に設定されることで照明装置１本体のタイマにおいてタイマテーブルに設定された時刻になると出力される信号である。なお、リモコン５０からのタイマフラグがＯＮの信号が先に受信された場合は、ＣＰＵ２２はこれに従い、その後の上記所定時間内に受信した照明装置１本体から出力されるタイマフラグがＯＮの信号を無視する。
【０４０１】
これは、照明装置１の水晶発振子２７で得られる時刻とリモコン５０の水晶発振子８５で得られる時刻とにずれが生じている場合が想定される。詳しくは、図４２に表わされたように、照明装置１の水晶発振子２７に従ってタイマテーブルに基づいた制御信号Ｃ１によって全灯（ＯＮ）が指示されて全灯状態となった後に、リモコン５０の消灯ボタン５３が押されたことによる制御信号Ｃ２である消灯信号がリモコン５０から出力されると、その信号に従って照明装置１は消灯される。その後に、制御信号Ｃ１と同じタイマテーブル上のタイマ時刻であって、リモコン５０の水晶発振子８５に従って制御信号Ｃ３として全灯信号Ｃ３がリモコン５０から出力されると、その信号に従って照明装置１が点灯状態となる。
【０４０２】
つまり、照明装置１の水晶発振子２７で得られる時刻とリモコン５０の水晶発振子８５で得られる時刻とがずれ、その間にリモコン５０の操作に従って照明状態が変化した場合、照明装置１の水晶発振子２７で得られる時刻とリモコン５０の水晶発振子８５で得られる時刻とのずれに起因して、照明装置１が全灯と消灯とを繰り返すことになる。
【０４０３】
そこで、ＣＰＵ２２が図４１の動作を行なうことで、先の制御信号から所定時間内にタイマ設定によるリモコン５０からの同じ照明状態を指示する制御信号があった場合に、それら制御信号を両水晶発振子のずれによるものとして後者の制御信号を無視することで、その間にユーザ操作が加わった場合に、例えば先に受信したタイマテーブルに基づいた制御信号Ｃ１によって点灯した後、ユーザがリモコン５０を操作して消灯させたにも関わらずその直後に制御信号Ｃ３により再び自動的に点灯するという、ユーザの意図に反する動作を防止できる。
【０４０４】
なお、上の例では、リモコン５０に記憶されているタイマテーブルに基づく制御信号であるかリモコン５０の操作に基づく制御信号であるかを表わしたフラグと共に制御信号を出力するものとしている。他の例として、上述のように、リモコン５０と照明装置１と双方がタイマテーブルを記憶している場合、リモコン５０はフラグに替えて制御信号を出力する時刻を表わした時刻情報と共に制御信号を出力するようにしてもよい。この場合、照明装置１は、自身のタイマテーブルを参照して、当該タイマテーブルに設定されているタイマ時刻と同じ時刻を表わす時刻情報が付された制御信号である場合にタイマテーブルに基づく制御信号と判断することができる。
【０４０５】
なお、本例においては、リモコン５０の機能の一例について説明したものであり、他の機能を実行するボタン等を配置して、対応する機能をＣＰＵ２２に実現するように制御することも当然に可能である。
【０４０６】
なお、コンピュータを機能させて、上述のフローで説明したような制御を実行させるプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０４０７】
なお、プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０４０８】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０４０９】
提供されるプログラム製品は、ハードディスクなどのプログラム格納部にインストールされて実行される。なお、プログラム製品は、プログラム自体と、プログラムが記録された記録媒体とを含む。
【０４１０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０４１１】
１  照明装置、２  シャーシ、８，９  カバー、１０，９１  電源回路、２０  照明制御部、２１  制御電源供給回路、２３  ＰＷＭ制御回路、２５  信号受信部、２６，８３  ＳＷ入力部、２７，８５  水晶発振子、２８  照度センサ、２９，８０  メモリ、３０  照明部、３１，３２，３５，３７  ＬＥＤモジュール、３３，３４，３６，３８  ＦＥＴスイッチ、４０，９７  インタフェース部、４１  赤外線受光部、４２，８８  操作ＳＷ、４３  表示用ＬＥＤ、５０  リモコン、５１，５３，５４，５５，５６，５７Ａ，５７Ｂ，５８，５９，６０，６１，６２，６３，６６，６７，６８，６９，７０，７４，７５，７７，７８，７９，８０，８１  ボタン、５２  液晶パネル、８２  液晶駆動回路、８４  信号送信部、８７  赤外線投光部、９５  リモコン制御部。
【図１】
0005851896.tif 000002
【図２】
0005851896.tif 000003
【図３】
0005851896.tif 000004
【図４】
0005851896.tif 000005
【図５】
0005851896.tif 000006
【図６】
0005851896.tif 000007
【図７】
0005851896.tif 000008
【図８】
0005851896.tif 000009
【図９】
0005851896.tif 000010
【図１０】
0005851896.tif 000011
【図１１】
0005851896.tif 000012
【図１２】
0005851896.tif 000013
【図１３】
0005851896.tif 000014
【図１４】
0005851896.tif 000015
【図１５】
0005851896.tif 000016
【図１６】
0005851896.tif 000017
【図１７】
0005851896.tif 000018
【図１８】
0005851896.tif 000019
【図１９】
0005851896.tif 000020
【図２０】
0005851896.tif 000021
【図２１】
0005851896.tif 000022
【図２２】
0005851896.tif 000023
【図２３】
0005851896.tif 000024
【図２４】
0005851896.tif 000025
【図２５】
0005851896.tif 000026
【図２６】
0005851896.tif 000027
【図２７】
0005851896.tif 000028
【図２８】
0005851896.tif 000029
【図２９】
0005851896.tif 000030
【図３０】
0005851896.tif 000031
【図３１】
0005851896.tif 000032
【図３２】
0005851896.tif 000033
【図３３】
0005851896.tif 000034
【図３４】
0005851896.tif 000035
【図３５】
0005851896.tif 000036
【図３６】
0005851896.tif 000037
【図３７】
0005851896.tif 000038
【図３８】
0005851896.tif 000039
【図３９】
0005851896.tif 000040
【図４０】
0005851896.tif 000041
【図４１】
0005851896.tif 000042
【図４２】
0005851896.tif 000043